(57)【要約】【課題】本発明は、簡易な動画編集を実現できる動画編集システムを提供することを目的とする。【解決手段】動画編集システムは、機器側撮像部１７０で取得された画像データと、機器側収音部１８０で画像データと同時に収音された音声データとが同時に動画データとして記録される機器側記録部１５０を備え、記録された画像データの中から第１のタイミングで切り取られた画像片と、画像データと同時に記録された音声データから第１のタイミングとは異なる第２のタイミングで切り取られた音声片とから、元の動画データより時間的に短縮された音声付き編集動画像データを得るように構成されている。【選択図】      図９Ｂ
2019103059.tif 000002
【特許請求の範囲】
【請求項１】
撮像部で取得された画像データと、収音部で前記画像データと同時に収音された音声データとが同時に動画データとして記録される記録部を備え、
記録された前記画像データの中から第１のタイミングで切り取られた画像片と、前記画像データと同時に記録された前記音声データから前記第１のタイミングとは異なる第２のタイミングで切り取られた音声片とから、元の前記動画データより時間的に短縮された音声付き編集動画像データを得るように構成された動画編集システム。
【請求項２】
元の動画データより時間的に短縮された音声付き編集動画像データを得る動画編集方法であって、
撮像部で取得された画像データと、収音部で前記画像データと同時に収音された音声データとを同時に動画データとして記録部に記録する記録ステップと、
前記画像データの中から第１のタイミングで画像片を切り取るステップと、
前記画像データと同時に記録された前記音声データから前記第１のタイミングとは異なる第２のタイミングで音声片を切り取るステップと
を含む動画編集方法。
【請求項３】
時間的に連続した複数の画像を含む第１の画像が時間分割されて、それぞれが第１の時間情報を有して単独で再生できる画像として生成された複数の画像片と、前記第１の画像に対応する第１の音声が時間分割されて、それぞれが第２の時間情報を有して単独で再生できる音声として生成された複数の音声片とを通信により取得する端末側通信制御部と、
前記第１の画像の時間範囲の中から第１の時間範囲を指定し、前記第１の音声の時間範囲の中から第２の時間範囲を指定するための端末側操作部と、
受信された複数の前記画像片の中から前記第１の時間範囲に含まれる前記画像片を選択するともに、受信された複数の前記音声片の中から前記第２の時間範囲に含まれる前記音声片を選択する端末側編集部と
を備える、動画編集のための携帯端末。
【請求項４】
前記第１の画像の時間範囲の中から前記第１の時間範囲を指定するための画像範囲選択バーと、前記第１の音声の時間範囲の中から前記第２の時間範囲を指定するための音声範囲選択バーとを表示させる表示情報を生成する端末側表示制御部をさらに備える、請求項３に記載の携帯端末。
【請求項５】
それぞれの前記第１の時間情報は、前記第１の画像におけるそれぞれの前記画像片の時間位置であり、それぞれの前記第２の時間情報は、前記第１の音声におけるそれぞれの前記音声片の時間位置である、請求項３に記載の携帯端末。
【請求項６】
前記画像片と、前記音声片とを、添付されている時間情報毎に仮記録する仮記録部をさらに備える、請求項３に記載の携帯端末。
【請求項７】
前記端末側編集部は、選択した前記画像片と前記音声片とに基づいて、動画ファイルを生成する、請求項３に記載の携帯端末。
【請求項８】
前記端末側編集部は、前記第１の時間範囲と、前記第２の時間範囲との各々の時間範囲を個別に編集できる分離編集を制御する、請求項３に記載の携帯端末。
【請求項９】
時間的に連続した複数の画像を含む第１の画像と、前記第１の画像に対応する第１の音声とが記録された記録部と、
前記第１の画像を時間分割するとともに第１の時間情報を添付してそれぞれが単独で再生できる画像である複数の画像片を生成し、前記第１の音声を時間分割するとともに第２の時間情報を添付してそれぞれが単独で再生できる音声である複数の音声片を生成する分割部と、
前記画像片と前記音声片とを外部に送信させる機器側通信制御部と
を備える、動画編集のためのキャプチャ機器。
【請求項１０】
対象を撮像して画像を出力する撮像部と、
前記対象の音声を収音して音声を出力する収音部と、
前記撮像部の出力する画像及び前記収音部の出力する音声に基づいて、前記第１の画像及び前記第１の音声を前記記録部に記録する記録制御部と
をさらに備える、請求項９に記載のキャプチャ機器。
【請求項１１】
前記第１の画像の時間範囲の中から第３の時間範囲を指定し、前記第１の音声の時間範囲の中から第４の時間範囲を指定するための機器側操作部をさらに備え、
前記機器側通信制御部は、前記第３の時間範囲に含まれる前記画像片と、前記第４の時間範囲に含まれる前記音声片とを外部に送信させる、請求項９に記載のキャプチャ機器。
【請求項１２】
前記第１の画像の時間範囲の中から前記第３の時間範囲を指定するための画像範囲選択バーと、前記第１の音声の時間範囲の中から前記第４の時間範囲を指定するための音声範囲選択バーとを表示させる表示情報を生成する機器側表示制御部をさらに備える、請求項１１に記載のキャプチャ機器。
【請求項１３】
請求項３乃至８のうち何れか１項に記載の携帯端末と、
請求項９乃至１２のうち何れか１項に記載のキャプチャ機器と、
を備える、情報処理システム。
【請求項１４】
時間的に連続した複数の画像を含む第１の画像が時間分割されて、それぞれが第１の時間情報を有して単独で再生できる画像として生成された複数の画像片と、前記第１の画像に対応する第１の音声が時間分割されて、それぞれが第２の時間情報を有して単独で再生できる音声として生成された複数の音声片とを通信により取得することと、
前記第１の画像の時間範囲の中から第１の時間範囲をユーザ操作に応じて指定することと、
受信された複数の前記画像片の中から前記第１の時間範囲に含まれる前記画像片を選択することと、
前記第１の音声の時間範囲の中から第２の時間範囲をユーザ操作に応じて指定することと、
受信された複数の前記音声片の中から前記第２の時間範囲に含まれる前記音声片を選択することと
を含む、動画編集のための情報処理方法。
【請求項１５】
前記第１の画像の時間範囲の中から前記第１の時間範囲を指定するための画像範囲選択バーと、前記第１の音声の時間範囲の中から前記第２の時間範囲を指定するための音声範囲選択バーとを表示することをさらに含む、請求項１４に記載の情報処理方法。
【請求項１６】
選択した前記画像片と前記音声片とに基づいて、動画ファイルの生成を行うことをさらに含む、請求項１４に記載の情報処理方法。
【請求項１７】
前記第１の時間範囲と、前記第２の時間範囲との各々の時間範囲は、個別に編集される、請求項１４に記載の情報処理方法。
【請求項１８】
時間的に連続した複数の画像を含む第１の画像と、前記第１の画像に対応する第１の音声とが記録されているキャプチャ機器において、
前記第１の画像を時間分割して単独で再生できる複数の画像片を生成することと、
複数の前記画像片のそれぞれに第１の時間情報を添付することと、
前記第１の音声を時間分割して単独で再生できる複数の音声片を生成することと、
複数の前記音声片のそれぞれに第２の時間情報を添付することと、
前記画像片と前記音声片とを携帯端末へ送信することと
を含む、動画編集のための情報生成方法。
【請求項１９】
対象を撮像して前記第１の画像を生成することと、
前記対象の音声を収音して前記第１の音声を生成することと、
前記第１の画像及び前記第１の音声を記録することと
をさらに含む、請求項１８に記載の情報生成方法。
【請求項２０】
時間的に連続した複数の画像を含む第１の画像が時間分割されて、それぞれが第１の時間情報を有して単独で再生できる画像として生成された複数の画像片と、前記第１の画像に対応する第１の音声が時間分割されて、それぞれが第２の時間情報を有して単独で再生できる音声として生成された複数の音声片とを通信により取得することと、
前記第１の画像の時間範囲の中から第１の時間範囲をユーザ操作に応じて指定することと、
受信された複数の前記画像片の中から前記第１の時間範囲に含まれる前記画像片を選択することと、
前記第１の音声の時間範囲の中から第２の時間範囲をユーザ操作に応じて指定することと、
受信された複数の前記音声片の中から前記第２の時間範囲に含まれる前記音声片を選択することと
をコンピュータに実行させる、動画編集のための情報処理プログラム。
【請求項２１】
前記第１の画像の時間範囲の中から前記第１の時間範囲を指定するための画像範囲選択バーと、前記第１の音声の時間範囲の中から前記第２の時間範囲を指定するための音声範囲選択バーとを表示することをさらにコンピュータに実行させる、請求項２０に記載の情報処理プログラム。
【請求項２２】
選択した前記画像片と前記音声片とに基づいて、動画ファイルの生成を行うことをさらにコンピュータに実行させる、請求項２０に記載の情報処理プログラム。
【請求項２３】
前記第１の時間範囲と、前記第２の時間範囲との各々の時間範囲は、個別に編集される、請求項２０に記載の情報処理プログラム。
【発明の詳細な説明】
【技術分野】
【０００１】
本発明は、動画編集システム及び動画編集方法並びに動画編集のための携帯端末、キャプチャ機器、情報処理システム、情報処理方法、情報生成方法及び情報処理プログラムに関する。
【背景技術】
【０００２】
ユーザは、動画撮影を行うときに、決定的な瞬間を撮り逃すことがないように比較的に長い時間撮影に専念していたり、高画質及び高音質の動画を取得する設定としていたりする。このようにして撮影された動画は、記録に適した品質（画質又は音質）である。一方で、撮影により記録された動画は、冗長であるためにハイライトが分かりにくい動画であることが多い。このため、このような動画は、編集しない状態では、観賞に適さないことが多い。また、このような動画のデータ容量は大きくなる傾向にある。
【０００３】
このような中、特に近年のインターネット回線を通じた動画共有においては、簡潔で、見ごたえのある動画に対するニーズが高い。そのため、動画データの送受信や編集に係る技術には需要がある。例えば、特許文献１には、静止画を連続的にモニタへ出力できる映像信号処理装置に係る技術が開示されている。また、例えば、特許文献２には、ビデオタイムスタンプＶＴＳが付された複数の符号化ビデオフレームと、オーディオタイムスタンプＡＴＳが付された複数の符号化オーディオフレームとを受信して復号した結果得られる複数のビデオフレームＶＦ１及び複数のオーディオフレームＡＦ１を蓄積し、音声の連続性を保持したままリップシンクさせることができるコンテンツ受信装置に係る技術が開示されている。
【先行技術文献】
【特許文献】
【０００４】
【特許文献１】特開平２−９３４９２号公報
【特許文献２】特開２００５−１０２１９２号公報
【発明の概要】
【発明が解決しようとする課題】
【０００５】
本発明は、簡易な動画編集を実現できる動画編集システム及び動画編集方法並びに動画編集のための携帯端末、キャプチャ機器、情報処理システム、情報処理方法、情報生成方法及び情報処理プログラムを提供することを目的とする。
【課題を解決するための手段】
【０００６】
本発明の一態様によれば、動画編集システムは、撮像部で取得された画像データと、収音部で前記画像データと同時に収音された音声データとが同時に動画データとして記録される記録部を備え、記録された前記画像データの中から第１のタイミングで切り取られた画像片と、前記画像データと同時に記録された前記音声データから前記第１のタイミングとは異なる第２のタイミングで切り取られた音声片とから、元の前記動画データより時間的に短縮された音声付き編集動画像データを得るように構成されている。
【０００７】
本発明の一態様によれば、動画編集方法は、元の動画データより時間的に短縮された音声付き編集動画像データを得る動画編集方法であって、撮像部で取得された画像データと、収音部で前記画像データと同時に収音された音声データとを同時に動画データとして記録部に記録する記録ステップと、前記画像データの中から第１のタイミングで画像片を切り取るステップと、前記画像データと同時に記録された前記音声データから前記第１のタイミングとは異なる第２のタイミングで音声片を切り取るステップとを含む。
【０００８】
本発明の一態様によれば、動画編集のための携帯端末は、時間的に連続した複数の画像を含む第１の画像が時間分割されて、それぞれが第１の時間情報を有して単独で再生できる画像として生成された複数の画像片と、前記第１の画像に対応する第１の音声が時間分割されて、それぞれが第２の時間情報を有して単独で再生できる音声として生成された複数の音声片とを通信により取得する端末側通信制御部と、前記第１の画像の時間範囲の中から第１の時間範囲を指定し、前記第１の音声の時間範囲の中から第２の時間範囲を指定するための端末側操作部と、受信された複数の前記画像片の中から前記第１の時間範囲に含まれる前記画像片を選択するともに、受信された複数の前記音声片の中から前記第２の時間範囲に含まれる前記音声片を選択する端末側編集部とを備える。
【０００９】
本発明の一態様によれば、動画編集のためのキャプチャ機器は、時間的に連続した複数の画像を含む第１の画像と、前記第１の画像に対応する第１の音声とが記録された記録部と、前記第１の画像を時間分割するとともに第１の時間情報を添付してそれぞれが単独で再生できる画像である複数の画像片を生成し、前記第１の音声を時間分割するとともに第２の時間情報を添付してそれぞれが単独で再生できる音声である複数の音声片を生成する分割部と、前記画像片と前記音声片とを外部に送信させる機器側通信制御部とを備える。
【００１０】
本発明の一態様によれば、動画編集のための情報処理システムは、前記携帯端末と、前記キャプチャ機器とを備える。
【００１１】
本発明の一態様によれば、動画編集のための情報処理方法は、時間的に連続した複数の画像を含む第１の画像が時間分割されて、それぞれが第１の時間情報を有して単独で再生できる画像として生成された複数の画像片と、前記第１の画像に対応する第１の音声が時間分割されて、それぞれが第２の時間情報を有して単独で再生できる音声として生成された複数の音声片とを通信により取得することと、前記第１の画像の時間範囲の中から第１の時間範囲をユーザ操作に応じて指定することと、受信された複数の前記画像片の中から前記第１の時間範囲に含まれる前記画像片を選択することと、前記第１の音声の時間範囲の中から第２の時間範囲をユーザ操作に応じて指定することと、受信された複数の前記音声片の中から前記第２の時間範囲に含まれる前記音声片を選択することとを含む。
【００１２】
本発明の一態様によれば、動画編集のための情報生成方法は、時間的に連続した複数の画像を含む第１の画像と、前記第１の画像に対応する第１の音声とが記録されているキャプチャ機器において、前記第１の画像を時間分割して単独で再生できる複数の画像片を生成することと、複数の前記画像片のそれぞれに第１の時間情報を添付することと、前記第１の音声を時間分割して単独で再生できる複数の音声片を生成することと、複数の前記音声片のそれぞれに第２の時間情報を添付することと、前記画像片と前記音声片とを携帯端末へ送信することとを含む。
【００１３】
本発明の一態様によれば、動画編集のための情報処理プログラムは、時間的に連続した複数の画像を含む第１の画像が時間分割されて、それぞれが第１の時間情報を有して単独で再生できる画像として生成された複数の画像片と、前記第１の画像に対応する第１の音声が時間分割されて、それぞれが第２の時間情報を有して単独で再生できる音声として生成された複数の音声片とを通信により取得することと、前記第１の画像の時間範囲の中から第１の時間範囲をユーザ操作に応じて指定することと、受信された複数の前記画像片の中から前記第１の時間範囲に含まれる前記画像片を選択することと、前記第１の音声の時間範囲の中から第２の時間範囲をユーザ操作に応じて指定することと、受信された複数の前記音声片の中から前記第２の時間範囲に含まれる前記音声片を選択することとをコンピュータに実行させる。
【発明の効果】
【００１４】
本発明によれば、簡易な動画編集を実現できる動画編集システム及び動画編集方法並びに動画編集のための携帯端末、キャプチャ機器、情報処理システム、情報処理方法、情報生成方法及び情報処理プログラムを提供できる。
【図面の簡単な説明】
【００１５】
【図１Ａ】図１Ａは、第１の実施形態に係る情報処理システムの構成例の概略を示すブロック図である。
【図１Ｂ】図１Ｂは、第１の実施形態に係るキャプチャ機器の構成例の概略を示すブロック図である。
【図１Ｃ】図１Ｃは、第１の実施形態に係る携帯端末の構成例の概略を示すブロック図である。
【図２Ａ】図２Ａは、第１の実施形態に係る情報処理システムの動作の概要について説明するための図である。
【図２Ｂ】図２Ｂは、第１の実施形態に係る情報処理システムの動作の概要について説明するための図である。
【図２Ｃ】図２Ｃは、第１の実施形態に係る情報処理システムの動作の概要について説明するための図である。
【図２Ｄ】図２Ｄは、第１の実施形態に係る情報処理システムの動作の概要について説明するための図である。
【図２Ｅ】図２Ｅは、第１の実施形態に係る情報処理システムの動作の概要について説明するための図である。
【図３】図３は、第１の実施形態に係るキャプチャ機器制御処理の一例を示すフローチャートである。
【図４】図４は、第１の実施形態に係る画像片及び音声片送信処理の一例を示すフローチャートである。
【図５】図５は、第１の実施形態に係る仮編集付き再生処理の一例を示すフローチャートである。
【図６Ａ】図６Ａは、第１の実施形態に係る携帯端末制御処理の一例を示すフローチャートである。
【図６Ｂ】図６Ｂは、第１の実施形態に係る携帯端末制御処理の一例を示すフローチャートである。
【図７Ａ】図７Ａは、第１の実施形態に係る携帯端末における表示の一例を示す模式図である。
【図７Ｂ】図７Ｂは、第１の実施形態に係る携帯端末及びキャプチャ機器における表示の一例を示す模式図である。
【図７Ｃ】図７Ｃは、第１の実施形態に係る携帯端末における表示の一例を示す模式図である。
【図７Ｄ】図７Ｄは、第１の実施形態に係る携帯端末における表示の一例を示す模式図である。
【図７Ｅ】図７Ｅは、第１の実施形態に係る携帯端末における表示の一例を示す模式図である。
【図８】図８は、第１の実施形態に係る分離編集処理の一例を示すフローチャートである。
【図９Ａ】図９Ａは、第１の実施形態に係る携帯端末における表示の一例を示す模式図である。
【図９Ｂ】図９Ｂは、第１の実施形態に係る携帯端末における表示の一例を示す模式図である。
【図９Ｃ】図９Ｃは、第１の実施形態に係る分離編集処理について説明するための模式図である。
【図１０Ａ】図１０Ａは、分離編集処理の変形例に係る携帯端末における表示の一例を示す模式図である。
【図１０Ｂ】図１０Ｂは、分離編集処理の変形例について説明するための模式図である。
【図１１Ａ】図１１Ａは、仮編集付き再生処理の別の一例を示すフローチャートである。
【図１１Ｂ】図１１Ｂは、仮編集付き再生処理の別の一例を示すフローチャートである。
【図１２Ａ】図１２Ａは、仮編集付き再生処理の変形例に係るキャプチャ機器における表示の一例を示す模式図である。
【図１２Ｂ】図１２Ｂは、仮編集付き再生処理の変形例に係るキャプチャ機器における表示の一例を示す模式図である。
【図１２Ｃ】図１２Ｃは、仮編集付き再生処理の変形例に係るキャプチャ機器における表示の一例を示す模式図である。
【図１２Ｄ】図１２Ｄは、仮編集付き再生処理の変形例に係るキャプチャ機器における表示の一例を示す模式図である。
【図１２Ｅ】図１２Ｅは、仮編集付き再生処理の変形例に係る携帯端末及びキャプチャ機器における表示の一例を示す模式図である。
【図１２Ｆ】図１２Ｆは、仮編集付き再生処理の変形例に係る携帯端末における表示の一例を示す模式図である。
【発明を実施するための形態】
【００１６】
＜構成＞
本発明の第１の実施形態について図面を参照して説明する。本実施形態に係る情報処理システム１の構成例の概略をブロック図として図１Ａに示す。情報処理システム１は、動画等の情報を取得する情報取得装置と、取得された動画等の情報を処理する情報処理装置としての機能を有する。本実施形態では、図１Ａに示すように、情報取得装置と情報処理装置としての機能を有するキャプチャ機器１００と、情報処理装置としての機能を有する携帯端末２００とを備える情報処理システム１を例として説明をする。
【００１７】
本実施形態に係るキャプチャ機器１００の構成例の概略をブロック図として図１Ｂに示す。また、本実施形態に係る携帯端末２００の構成例の概略をブロック図として図１Ｃに示す。キャプチャ機器１００は、例えば４Ｋ、８Ｋといった高品質の動画撮影ができるデジタルカメラである。また、本実施形態に係る携帯端末２００は、例えばスマートフォン、タブレットＰＣ等の情報端末である。ユーザは、携帯端末２００を操作して、キャプチャ機器１００によって取得された高品質の動画に基づいて、データ容量が低減されていて他のユーザと共有し易く、気軽に観賞できる動画を簡易に作成する。
【００１８】
キャプチャ機器１００は、機器側制御部１１０と、機器側表示部１２０と、機器側音声再生部１３０と、機器側操作部１４０と、機器側記録部１５０と、機器側通信部１６０と、機器側撮像部１７０と、機器側収音部１８０と、機器側時計部１９０とを備える。キャプチャ機器１００は、画像データに各種画像処理を施す画像処理回路をさらに備えていてもよい。
【００１９】
機器側制御部１１０は、キャプチャ機器１００の各部の動作を制御する。機器側制御部１１０は、機器側情報処理部１１１としての機能を有する。機器側情報処理部１１１は、機器側圧縮部１１２、機器側伸長部１１３、機器側分割部１１４、機器側通信制御部１１５及び機器側記録制御部１１６としての機能を有する。機器側圧縮部１１２は、静止画像データ、音声データ及び動画データの圧縮処理を行う。ここで、動画データは、時間的に連続した複数の画像を含む第１の画像と、第１の画像に対応する第１の音声とを含む。また、機器側圧縮部１１２は、画像データのリサイズ処理を行う。機器側伸長部１１３は、圧縮されている画像データ、音声データ及び動画データの伸張処理を行う。機器側分割部１１４は、動画データに含まれる第１の画像及び第１の音声を時間分割する。機器側分割部１１４は、動画データに含まれる第１の画像（動画コマ）を、特定のタイミング毎に画像化する。機器側分割部１１４は、動画データに含まれる第１の音声を、特定のタイミング毎に切り出す。以下、このようにして生成された画像データ及び音声データを、それぞれ、画像片及び音声片（音声クリップ）と記載する。機器側分割部１１４は、各々の画像片に第１の時間情報を添付する。ここで、第１の時間情報は、第１の画像におけるそれぞれの画像片の時間位置である。同様に、機器側分割部１１４は、各々の音声片に第２の時間情報を添付する。ここで、第２の時間情報は、第１の音声におけるそれぞれの音声片の時間位置である。機器側通信制御部１１５は、機器側通信部１６０の通信等の動作を制御する。機器側通信制御部１１５は、キャプチャ機器１００で生成された画像片及び音声片等を携帯端末２００へ送信させる。機器側記録制御部１１６は、機器側記録部１５０への各種情報の記録を制御する。機器側記録制御部１１６は、キャプチャ機器１００で取得された動画データ（第１の画像及び第１の音声）を、それぞれ、機器側記録部１５０の画像記録部１５１及び音声記録部１５２に記録させる。機器側記録制御部１１６は、キャプチャ機器１００で生成された画像片及び音声片等を、それぞれ、機器側記録部１５０の画像記録部１５１及び音声記録部１５２に仮記録又は記録させる。
【００２０】
また、機器側制御部１１０は、機器側表示制御部と、機器側編集部としての機能をさらに備える。機器側表示制御部は、キャプチャ機器１００の備える機器側表示部１２０に表示させる表示情報を生成する。動画編集時の機器側表示制御部の動作は、後述する端末側表示制御部２１８と同様である。機器側編集部は、動画編集に係る処理を行う。機器側編集部は、携帯端末２００に送信する画像片及び音声片の範囲を設定する仮編集に係る処理を行う。
【００２１】
機器側表示部１２０は、機器側表示制御部の生成する表示情報を表示する。表示情報は、画像データを含む。機器側表示部１２０は、例えば液晶ディスプレイ、有機ＥＬディスプレイである。機器側表示部１２０は電子ビューファインダ（ＥＶＦ）としての機能を有する。機器側音声再生部１３０は、機器側制御部１１０の生成する音声情報を再生する。機器側音声再生部１３０は、例えばスピーカである。機器側操作部１４０は、ユーザのキャプチャ機器１００に対する各種の操作結果を取得するための操作部材を含む。機器側操作部１４０は、ユーザ操作を取得できる要素であればよく、例えば押しボタン、つまみ、スライダ、ダイヤル、レバー等の機械的な操作部材であってもよいし、タッチパネルであってもよい。
【００２２】
機器側記録部１５０には、キャプチャ機器１００が取得した情報、キャプチャ機器１００の動作に係る情報等の各種情報が記録される。また、機器側記録部１５０には、キャプチャ機器１００の備える各部で用いられるプログラム及びパラメータが記録される。このプログラムは、動画データを編集するための情報処理プログラムを含む。機器側記録部１５０には、動画編集時に各種編集画面を機器側表示部１２０に表示させるために必要な表示用データが記録される。また、機器側記録部１５０には、キャプチャ機器１００の動作時の処理データを含む各種データが一時的に記録される。機器側記録部１５０は、画像記録部１５１と、音声記録部１５２とを備える。画像記録部１５１には、キャプチャ機器１００で取得された静止画像データ、動画データに含まれる時間的に連続した画像を含む第１の画像、キャプチャ機器１００で生成された画像片、これらの画像データを示すサムネイル画像等の各種画像データが記録される。音声記録部１５２には、キャプチャ機器１００で取得された音声データ、第１の画像に対応した第１の音声、キャプチャ機器１００で生成された音声片等の各種音声データが記録される。音声記録部１５２には、観賞用動画の生成に用いられる効果音等の音声データが記録されていてもよい。ここで、観賞用動画は、ユーザ等による後の観賞に適するように編集された動画のことである。
【００２３】
機器側通信部１６０は、キャプチャ機器１００が他の機器と通信するための回路を備える。キャプチャ機器１００と携帯端末２００との間の通信は、例えば無線通信によって行われる。機器側通信部１６０は、第１の機器側通信部１６１と、第２の機器側通信部１６２とを備える。第１の機器側通信部１６１は、Ｂｌｕｅｔｏｏｔｈ（登録商標）通信又はＢｌｕｅｔｏｏｔｈ  Ｌｏｗ  Ｅｎｅｒｇｙ（ＢＬＥ）通信に対応した通信回路を備える。第２の機器側通信部１６２は、Ｗｉ−Ｆｉ（登録商標）通信に対応した通信回路を備える。例えば、画像データ、音声データ等の通信には比較的に大容量の通信であるＷｉ−Ｆｉ通信を実行できる第１の機器側通信部１６１が用いられる。また、制御信号等の通信には比較的に低消費電力の通信であるＢＬＥ通信を実行できる第２の機器側通信部１６２が用いられる。
【００２４】
なお、サムネイル画像等のデータ容量が小さい画像データは、ＢＬＥ通信によって送受信されてもよい。なお、機器側通信部１６０は、携帯電話通信に対応した通信回路をさらに備えていてもよい。また、キャプチャ機器１００と携帯端末２００等のキャプチャ機器１００の外部との間の通信は、有線通信によって行われてもよいし、互いにインターネット等の電気通信回線に接続されてインターネット等の電気通信回線を介して通信が行われてもよい。なお、キャプチャ機器１００と携帯端末２００等の間におけるデータの移動は、例えばＵＳＢメモリ、ＣＤ−ＲＯＭ、ネットワーク上のデータサーバ等の情報処理システム１の外部にある記録媒体を介して行われてもよい。
【００２５】
機器側撮像部１７０は、対象を撮像し、被写体に係る画像データを取得する。機器側撮像部１７０は、レンズと、撮像素子とを備える。レンズは、対象からの光束を撮像素子の受光面上に結像させる。レンズは、ズームレンズ、フォーカスレンズ等を備えていてもよい。撮像素子は、例えばComplementary Metal-Oxide Semiconductor（ＣＭＯＳ）センサやCharge-Coupled Device（ＣＣＤ）センサであり、受光面に入射した光束を電気信号（画像信号）に変換する。また、撮像素子は、画像信号を増幅し、デジタル化して画像データを生成するといった前処理も行う。
【００２６】
機器側収音部１８０は、対象の音声を収音し、対象に係る音声データを取得する。機器側収音部１８０は、例えばマイクロフォンであり、機器側収音部１８０に入射した音波を電気信号（音声信号）に変換する。また、機器側収音部１８０は、音声信号を増幅し、デジタル化して音声データを生成したり、音声信号のノイズ除去をしたりするといった前処理も行う。なお、これら前処理は、ハードウェアによって実現されてもよいし、ソフトウェアによって実現されてもよい。
【００２７】
機器側時計部１９０は、日付や時刻に係る情報を生成し、機器側制御部１１０へ出力する。
【００２８】
携帯端末２００は、図１Ｃに示すように、端末側制御部２１０と、端末側表示部２２０と、端末側音声再生部２３０と、端末側操作部２４０と、端末側記録部２５０と、端末側通信部２６０とを備える。
【００２９】
端末側制御部２１０は、携帯端末２００の各部の動作を制御する。端末側制御部２１０は、端末側情報処理部２１１としての機能を有する。端末側情報処理部２１１は、端末側圧縮部２１２と、端末側通信制御部２１５と、端末側記録制御部２１６と、端末側編集部２１７と、端末側表示制御部２１８としての機能を有する。端末側圧縮部２１２は、画像データ、音声データ及び動画データの圧縮処理を行う。ここで、動画データは、特定の時間範囲（第１の時間範囲）に含まれる時間的に連続した画像片と、特定の時間範囲（第２の時間範囲）に含まれる時間的に連続した音声片とに基づいて生成された観賞用動画の動画データを含む。また、端末側圧縮部２１２は、画像データのリサイズ処理を行う。端末側通信制御部２１５は、端末側通信部２６０の通信等の動作を制御する。端末側通信制御部２１５は、キャプチャ機器１００で生成された画像片及び音声片等をキャプチャ機器１００から受信させる。端末側記録制御部２１６は、端末側記録部２５０への各種情報の記録を制御する。端末側記録制御部２１６は、キャプチャ機器１００から取得された画像片及び音声片を、それぞれ、添付されている時間情報毎に端末側記録部２５０に仮記録させる。端末側記録制御部２１６は、携帯端末２００で生成された観賞用動画の動画データを端末側記録部２５０に記録させる。端末側編集部２１７は、観賞用動画の生成に係る各種処理を制御する。端末側編集部２１７は、端末側操作部２４０の出力に基づいて、観賞用動画の生成に用いる画像片の時間範囲（第１の時間範囲）と、音声片の時間範囲（第２の時間範囲）とを設定する。端末側編集部２１７は、画像（画像片）と音声（音声片）との時間範囲を分離して設定する分離編集と、画像（画像片）と音声（音声片）との時間範囲を分離せずに一括して設定する結合編集とを行う。分離編集において、端末側編集部２１７は、第１の時間範囲と、第２の時間範囲とを、それぞれ個別に設定する。端末側編集部２１７は、第１の時間範囲に含まれる画像片と、第２の時間範囲に含まれる音声片とに基づいて観賞用動画を生成する。端末側編集部２１７は、画像片へキャプションを追加する処理や、観賞用動画にタイトル画像等の挿入画像や効果音等を追加する処理を行う。端末側表示制御部２１８は、端末側表示部２２０に表示させる表示情報を生成する。表示情報には、動画編集のための表示画面を含む。ここで、動画編集のための表示画面には、分離編集のための表示画面と、結合編集のための表示画面とを含む。分離編集のための表示画面は、第１の時間範囲を設定するための画像範囲選択バーと、第２の時間範囲を設定するための音声範囲選択バーとを含む。結合編集のための表示画面は、画像と音声兼用の範囲選択バーである共通範囲選択バーを含む。
【００３０】
端末側表示部２２０は、端末側表示制御部２１８の生成する表示情報を表示する。表示情報は、画像データを含む。端末側表示部２２０は、例えば液晶ディスプレイ、有機ＥＬディスプレイである。
【００３１】
端末側音声再生部２３０は、端末側制御部２１０の生成する音声情報を再生する。端末側音声再生部２３０は、例えばスピーカである。
【００３２】
端末側操作部２４０は、ユーザの携帯端末２００に対する各種の操作結果を取得するための操作部材を含む。端末側操作部２４０は、ユーザ操作を取得できる要素であればよく、例えば押しボタン、つまみ、スライダ、ダイヤル、レバー等の機械的な操作部材であってもよいし、タッチパネルであってもよい。なお、本実施形態に係る端末側操作部２４０は、少なくとも、端末側表示部２２０上に設けられたタッチパネルを含む。
【００３３】
端末側記録部２５０には、携帯端末２００が取得した情報、携帯端末２００の動作に係る情報等の各種情報が記録される。また、端末側記録部２５０には、携帯端末２００の備える各部で用いられるプログラム及びパラメータが記録される。このプログラムは、動画データを編集するための情報処理プログラムを含む。端末側記録部２５０には、動画編集時に各種編集画面を端末側表示部２２０に表示させるために必要な表示用データが記録される。端末側記録部２５０は、仮記録部２５１と、情報記録部２５２とを備える。仮記録部２５１には、携帯端末２００の動作時の処理データを含む各種データが一時的に記録される。仮記録部２５１には、キャプチャ機器１００から受信された画像片及び音声片が、添付されている時間情報毎に仮記録される。情報記録部２５２には、携帯端末２００で生成された観賞用動画等の各種情報が記録される。情報記録部２５２には、観賞用動画の生成に用いられる挿入画像、効果音等が記録されていてもよい。
【００３４】
端末側通信部２６０は、携帯端末２００が他の機器と通信するための回路を備える。端末側通信部２６０は、キャプチャ機器１００との間で通信を行う。端末側通信部２６０は、第１の端末側通信部２６１と、第２の端末側通信部２６２とを備える。第１の端末側通信部２６１は、Ｂｌｕｅｔｏｏｔｈ通信又はＢＬＥ通信に対応した通信回路を備える。第２の端末側通信部２６２は、Ｗｉ−Ｆｉ通信に対応した通信回路を備える。なお、端末側通信部２６０は、携帯電話通信に対応した通信回路をさらに備えていてもよい。
【００３５】
なお、機器側制御部１１０及び端末側制御部２１０は、Central Processing Unit（ＣＰＵ）、Application Specific Integrated Circuit（ＡＳＩＣ）又はField Programmable Gate Array（ＦＰＧＡ）等の集積回路等を含む。機器側制御部１１０及び端末側制御部２１０は、それぞれ、１つの集積回路等で構成されてもよいし、複数の集積回路等が組み合わされて構成されてもよい。これら集積回路の動作は、例えば機器側記録部１５０又は端末側記録部２５０や集積回路内の記録領域に記録されたプログラムに従って行われるが、集積回路の構成に応じて、ハードウェアによって実現されてもよい。
【００３６】
なお、機器側記録部１５０及び端末側記録部２５０は、例えばフラッシュメモリ、ハードディスクドライブ（ＨＤＤ）、ソリッドステートドライブ（ＳＳＤ）のような不揮発性メモリである。機器側記録部１５０及び端末側記録部２５０は、Static Random Access Memory（ＳＲＡＭ）やDynamic Random Access Memory（ＤＲＡＭ）のような揮発性メモリをさらに有していてもよい。機器側記録部１５０及び端末側記録部２５０は、それぞれ、１つのメモリ等で構成されてもよいし、複数のメモリ等が組み合わされて構成されてもよい。また、機器側記録部１５０及び端末側記録部２５０は、外部にあるデータサーバ等を、そのメモリの一部として利用してもよい。
【００３７】
＜動作の概要＞
ここで、本実施形態に係る情報処理システム１の動作の概要について、図２Ａ〜図２Ｅを参照して説明する。
【００３８】
図２Ａは、結婚式のキャンドルサービスのシーン（場面）において、ユーザＵが、デジタルカメラ（キャプチャ機器１００）を用いて動画撮影している様子を示す。このようなとき、ユーザＵは、決定的な瞬間を撮り逃すことがないように比較的に長い時間に渡って動画撮影に専念していたり、高画質及び高音質の動画を取得する設定としていたりする。このようにして撮影された動画は、記録に適した品質（画質又は音質）である。一方で、撮影により記録された動画は、冗長であるためにハイライトが分かりにくい動画であることが多い。このため、このような動画は、編集しない状態では、観賞に適さないことが多い。特に、近年のインターネット等の電気通信回線を通じた動画共有においては、簡潔で、見ごたえのある動画に対するニーズが高い。
【００３９】
ユーザＵは、図２Ｂに示すように、例えば帰りの電車内等、動画撮影後に手元のスマートフォン（携帯端末２００）を操作して、鞄の中にあるキャプチャ機器１００に記録されている動画（元動画）を確認する。しかしながら、元動画は、比較的長時間に渡って高画質又は高音質で撮影された動画であり、データ容量が大きい傾向にある。このような動画が無線通信によってユーザＵの手元にある携帯端末２００へ送信されることは困難である。また、データ容量の大きい動画ファイルは、インターネット等を介した動画共有に適さないことが多い。
【００４０】
そこで、本実施形態に係るキャプチャ機器１００は、元動画を伸張し、特定タイミング毎に第１の画像（動画コマ）を１枚の画像（画像片）として生成する。また、各々の画像片には、時間情報（タイムスタンプ）が添付される。以下、画像片に添付される時間情報を第１の時間情報と記載する。図２Ｃには、時間的に連続した複数の画像片を含む一連の画像片Ｆ１０として、第１の画像片Ｆ１と、第２の画像片Ｆ２と、第３の画像片Ｆ３と、第４の画像片Ｆ４と、第５の画像片Ｆ５とが生成された場合が例として示されている。同様に、キャプチャ機器１００は、元動画を伸張し、特定タイミング毎に第１の音声を切り分けて、音声片（音声クリップ）を生成する。また、各々の音声片には、時間情報（タイムスタンプ）が添付される。以下、音声片に添付される時間情報を第２の時間情報と記載する。図２Ｃには、各々の画像片に対応する音声片を含む一連の音声片Ｓ１０として、第１の音声片Ｓ１と、第２の音声片Ｓ２と、第３の音声片Ｓ３と、第４の音声片Ｓ４と、第５の音声片Ｓ５とが生成された場合が例として示されている。
【００４１】
このように、本実施形態に係るキャプチャ機器１００は、第１の画像を時間分割するとともに第１の時間情報を添付して単独で再生できる画像として画像片を生成する。なお、ここでの「単独で再生できる画像」とは、フレーム間圧縮（時間圧縮）された画像のように他の画像を参照することなく再生することができる画像のことである。また、キャプチャ機器１００は、第１の画像に対応する第１の音声を時間分割するとともに第２の時間情報を添付して単独で再生できる音声として音声片を生成する。なお、ここでの「単独で再生できる音声」とは、隣接サンプル間の差分をとる等して時間圧縮された音声のように他の音声を参照することなく再生することができる音声のことである。ここで、第１の時間情報は、元動画（第１の画像）における画像片の時間位置を示す。同様に、第２の時間情報は、元動画（第１の音声）における音声片の時間位置を示す。
【００４２】
本実施形態に係る携帯端末２００は、生成された一連の画像片Ｆ１０及び一連の音声片Ｓ１０をキャプチャ機器１００から受信し、各々の画像片又は音声片に添付されている時間情報毎に仮記録する。ユーザＵは、手元のスマートフォン（携帯端末２００）を操作して、時間情報毎に仮記録された一連の画像片Ｆ１０及び一連の音声片Ｓ１０に基づいて、共有に適した動画（観賞用動画）を作成する。
【００４３】
このとき、図２Ｄに示すように、ユーザＵは、一連の画像片Ｆ１０の中から、素材画像Ｆ２０として観賞用動画の作成に用いる画像片の範囲（第１の時間範囲）を選択する。ここで、素材画像Ｆ２０は、第１の時間範囲内の時間的に連続した画像片である。そのシーン（元動画）を代表するような画像片が含まれる一連の画像片Ｆ１０の範囲が第１の時間範囲として選択されればよい。例えば、キャンドルサービスの場面であれば、素材画像Ｆ２０には、キャンドルに火が灯される直前を示す第４の画像片Ｆ４と、直後を示す第５の画像片Ｆ５とが含まれる。第１の時間範囲の時間幅を示す素材画像時間Ｔｍは、５秒といった値が予め設定されていてもよいし、ユーザＵが適宜調節して設定されてもよい。
【００４４】
同様に、図２Ｅに示すように、ユーザＵは、一連の音声片Ｓ１０の中から、素材音声Ｓ２０として観賞用動画の作成に用いる音声片の範囲（第２の時間範囲）を選択する。ここで、素材音声Ｓ２０は、第２の時間範囲内の時間的に連続した音声片である。例えば、ＢＧＭが盛り上がったとき、皆が拍手したとき等の、そのシーン（元動画）を代表するような音声片が含まれる一連の音声片Ｓ１０の範囲が第２の時間範囲として選択されればよい。例えば、キャンドルサービスの場面であれば、素材音声Ｓ２０には、キャンドルに火が灯される前後の音声として、第４の音声片Ｓ４と第５の音声片Ｓ５とが含まれる。第２の時間範囲の時間幅を示す素材音声時間Ｔｓは、第１の時間範囲（素材画像時間Ｔｍ）に合わせて設定されていてもよいし、ユーザＵが適宜調節して設定されてもよい。
【００４５】
このように、ユーザＵは、元動画に由来する画像片及び音声片の各々について、個別に素材画像Ｆ２０及び素材音声Ｓ２０として用いる範囲を選択できる。このとき、第１の時間範囲と、第２の時間範囲とは、同一であってもよいし、異なっていてもよい。このため、本実施形態に係る情報処理システム１は、元動画において異なる時間位置に記録されている画像のハイライトと音声のハイライトとが用いられた見ごたえのある観賞用動画を生成できる。
【００４６】
また、ユーザＵは、生成された素材画像Ｆ２０と素材音声Ｓ２０とを適宜組み合わせて、観賞用動画を作成する。このとき、素材画像Ｆ２０と素材音声Ｓ２０とに加えて、さらにタイトル画像や効果音が用いられてもよいし、素材画像Ｆ２０に含まれる画像片に画像処理が施されてもよい。画像片に対する画像処理は、画像片へキャプション等を追加する処理、画像片をモノトーン等に加工する処理等が含まれ得る。また、素材画像Ｆ２０と素材音声Ｓ２０とは、素材画像時間Ｔｍと素材音声時間Ｔｓとに応じて、何れか一方が繰り返し再生されるように組み合わせられてもよい。
【００４７】
なお、観賞用動画の生成は、ユーザインターフェイス（ＵＩ）が豊富なスマートフォン等の携帯端末２００で行われ得るが、キャプチャ機器１００で行われてもよい。この場合には、例えば、キャプチャ機器１００は、ユーザ操作に応じて、素材画像Ｆ２０と素材音声Ｓ２０とを、それぞれ生成する。携帯端末２００は、ユーザ操作に応じて、キャプチャ機器１００から受信した素材画像Ｆ２０と素材音声Ｓ２０とに基づいて、観賞用動画を生成する。
【００４８】
＜動作＞
ここで、キャプチャ機器１００で行われるキャプチャ機器制御処理の一例をフローチャートとして図３に示し、これを参照して本実施形態に係る情報処理システム１の動作について説明する。以下の処理は、キャプチャ機器１００が、電源オフであり、かつ、低消費電力の通信である第１の通信について通信を待機している状態で開始される。
【００４９】
ステップＳ１０１において、機器側制御部１１０は、キャプチャ機器１００の電源をオンにするか否かを判定する。本判定では、例えば、電源スイッチがオンとされたり、第１の通信の開始要求がされたりしたときには、電源をオンにすると判定される。処理は、電源をオンすると判定された場合はステップＳ１０２へ進み、判定されなかった場合は観察装置制御処理を終了し、第１の通信について通信を待機する。なお、処理は、電源をオンすると判定されなかった場合はステップＳ１１２へ進んでもよい。
【００５０】
ステップＳ１０２において、機器側制御部１１０は、キャプチャ機器１００の電源をオンとして、現在のキャプチャ機器１００の動作モードが撮影モードであるか否かを判定する。処理は、撮影モードであると判定された場合はステップＳ１０３へ進み、判定されなかった場合はステップＳ１０９へ進む。
【００５１】
ステップＳ１０３において、機器側制御部１１０は、ライブビュー表示と、収音とを開始させる。機器側制御部１１０は、ライブビュー表示において、機器側撮像部１７０に撮像を開始させ、撮像して得られた画像に対してライブビュー表示用の画像処理を施し、画像処理後の画像を機器側表示部１２０に表示させる。機器側制御部１１０は、機器側収音部１８０に収音を開始させる。ステップＳ１０４において、機器側制御部１１０は、撮影パラメータに係る操作が行われたか否かを機器側操作部１４０の出力に基づいて判定する。処理は、撮影パラメータ操作があったと判定された場合はステップＳ１０５へ進み、判定されなかった場合はステップＳ１０６へ進む。ステップＳ１０５において、機器側制御部１１０は、入力された撮影パラメータに応じた機器側操作部１４０の出力に基づいて、各種撮影パラメータの値を設定する。
【００５２】
ステップＳ１０６において、機器側制御部１１０は、撮影又は音声記録の開始操作が行われたか否かを機器側操作部１４０の出力に基づいて判定する。処理は、開始操作が行われたと判定された場合はステップＳ１０７へ進み、判定されなかった場合はステップＳ１０１へ戻る。なお、開始操作は、静止画像を取得する撮影の開始操作であってもよいし、音声データを取得する録音（音声記録）の開始操作であってもよいし、動画を取得する撮影（撮影及び録音）の開始操作であってもよい。ステップＳ１０７において、機器側制御部１１０は、撮影又は音声記録（動画撮影）を開始する。ステップＳ１０８において、機器側制御部１１０は、取得された画像、音声又は画像及び音声（動画）を圧縮してファイル化し、機器側記録部１５０に記録する。ここで記録される動画は、例えば、記録に適した画質又は音質の動画である。なお、ステップＳ１０７及びステップＳ１０８の処理は、例えば、撮影又は音声記録（動画撮影）の終了操作が行われるまで継続される。その後、処理はステップＳ１０１へ戻る。
【００５３】
ステップＳ１０９において、機器側制御部１１０は、通信設定を行うか否かを機器側操作部１４０の出力に基づいて判定する。処理は、通信設定を行うと判定された場合はステップＳ１１０へ進み、判定されなかった場合はステップＳ１１１へ進む。ステップＳ１１０において、機器側制御部１１０は、キャプチャ機器１００の電源をオンとして、通信に係る各種設定（通信設定）を行う。通信設定では、携帯端末２００等のキャプチャ機器１００の通信相手に係る情報が登録される。
【００５４】
ステップＳ１１１において、機器側制御部１１０は、再生モードが選択されたか否かを機器側操作部１４０の出力に基づいて判定する。処理は、再生モードが選択されたと判定された場合はステップＳ１１７へ進み、判定されなかった場合はステップＳ１１２へ進む。
【００５５】
ステップＳ１１２において、機器側制御部１１０は、携帯端末２００から通信要求があったか否かを判定する。処理は、通信要求があったと判定された場合はステップＳ１１３へ進み、判定されなかった場合はステップＳ１０１へ戻る。ステップＳ１１３において、機器側制御部１１０は、第２の機器側通信部１６２に、携帯端末２００との間で第２の通信を確立させる。機器側制御部１１０は、機器側記録部１５０に記録されている静止画像、音声及び動画の各々を示す代表画像を画像記録部１５１から読み出し、通信要求を行った携帯端末２００へ送信する。ここで、代表画像は、アイコンやサムネイル画像を含む。
【００５６】
ステップＳ１１４において、機器側制御部１１０は、携帯端末２００から受信した制御信号に基づいて、動画（動画ファイル）が選択されたか否かを判定する。処理は、動画ファイルが選択されたと判定された場合はステップＳ１１５へ進み、判定されなかった場合はステップＳ１１６へ進む。ステップＳ１１５において、機器側制御部１１０は、画像片及び音声片送信処理を行う。画像片及び音声片送信処理は、上述したように、画像片及び音声片を生成する処理である。画像片及び音声片送信処理の詳細は後述する。処理は、画像片及び音声片送信処理の終了後、ステップＳ１１６へ進む。ステップＳ１１６において、機器側制御部１１０は、携帯端末２００との間に確立された第２の通信を終了させるか否かを判定する。判定は、ユーザ操作に基づいて行われてもよいし、画像片及び音声片送信処理が終了したか否かに基づいて行われてもよいし、通信が行われていない時間が所定の時間に達したか否かに基づいて行われてもよい。処理は、終了すると判定された場合は第２の通信を終了させてステップＳ１１２へ戻り、判定されなかった場合はステップＳ１１４へ戻る。
【００５７】
ステップＳ１１７において、機器側制御部１１０は、仮編集付き再生処理を実行する。仮編集付き再生処理は、機器側記録部１５０に記録されている静止画像、音声及び動画を再生する処理である。また、仮編集付き再生処理では、動画ファイルに基づいて、仮編集画像（仮編集コマ）及び仮編集音声が生成され得る。ここで、仮編集画像及び仮編集音声は、任意の時間範囲（仮編集時間範囲）に含まれる時間的に連続した画像片及び音声片である。仮編集付き再生処理の詳細は後述する。処理は、仮編集付き再生処理の終了後、ステップＳ１１１へ戻る。
【００５８】
ここで、キャプチャ機器制御処理のステップＳ１１５で行われる画像片及び音声片送信処理の一例をフローチャートとして図４に示し、これを参照して情報処理システム１の動作について説明をする。
【００５９】
ステップＳ２０１において、機器側制御部１１０は、画像片及び音声片を生成する際の元動画をユーザ操作の結果に応じて選択する。元動画の選択は、キャプチャ機器制御処理のステップＳ１１４で携帯端末２００から受信した制御信号に基づく。その後、機器側制御部１１０は、選択された動画（動画データ）の伸張を開始する。
【００６０】
ステップＳ２０２において、機器側制御部１１０は、動画データを伸張して、特定タイミング毎に第１の画像（動画コマ）を画像化（画像片化）する。画像片化する特定のタイミングは、例えば３３ｍｓであるが、これに限らない。元の動画ファイルに応じて決定されてもよいし、音声片化のタイミングに応じて決定されてもよいし、通信容量に応じて決定されてもよい。ステップＳ２０３において、機器側制御部１１０は、画像片に時間情報（第１の時間情報）を関連付ける。機器側制御部１１０は、生成した画像片を携帯端末２００へ送信させる。
【００６１】
ステップＳ２０４において、機器側制御部１１０は、動画データを伸張して、特定タイミング毎に第１の音声を音声片化（音声クリップ化）する。音声片化する特定のタイミングは、例えば４０ｍｓであるが、これに限らない。元の動画ファイルに応じて決定されてもよいし、画像片化のタイミングに応じて決定されてもよいし、通信容量に応じて決定されてもよい。ステップＳ２０５において、機器側制御部１１０は、音声片に時間情報（第２の時間情報）を関連付ける。機器側制御部１１０は、生成した音声片を携帯端末２００へ送信させる。
【００６２】
ステップＳ２０６において、機器側制御部１１０は、画像片及び音声片送信処理を終了するか否かを判定する。本判定では、例えば、選択された動画（元動画）について、一通り画像片及び音声片の生成及び送信が終了したときに、画像片及び音声片送信処理を終了すると判定される。処理は、終了すると判定されるまで、ステップＳ２０２乃至ステップＳ２０５の処理を繰り返し、終了すると判定された場合は画像片及び音声片送信処理を終了し、キャプチャ機器制御処理のステップＳ１１６へ進む。
【００６３】
ここで、キャプチャ機器制御処理のステップＳ１１７で行われる仮編集付き再生処理の一例をフローチャートとして図５に示し、これを参照して情報処理システム１の動作について説明をする。
【００６４】
ステップＳ３０１において、機器側制御部１１０は、機器側記録部１５０に記録されている再生可能なコンテンツの一覧を、機器側表示部１２０に表示させる。ここで、再生可能なコンテンツは、動画ファイルであってもよいし、画像ファイルであってもよいし、音声ファイルであってもよい。
【００６５】
ステップＳ３０２において、機器側制御部１１０は、代表画像（サムネイル画像）を選択する操作があったか否かを判定する。本判定では、例えば機器側表示部１２０の上にタッチパネルが配置されている場合には、代表画像がタッチされたか否かが判定される。処理は、代表画像が選択されたと判定された場合にはステップＳ３０４へ進み、判定されなかった場合にはステップＳ３０３へ進む。ステップＳ３０３において、機器側制御部１１０は、仮編集付き再生処理（再生モード）を終了してモード選択へ戻るか否かを判定する。本判定は、例えばユーザ操作の結果に基づく。処理は、戻ると判定された場合は仮編集付き再生処理を終了してキャプチャ機器制御処理のステップＳ１１１へ戻り、判定されなかった場合はステップＳ３０１へ戻る。ステップＳ３０４において、機器側制御部１１０は、ステップＳ３０２で選択されたコンテンツを再生する。
【００６６】
なお、ステップＳ３０２の判定において、動画ファイル以外の再生可能なコンテンツが選択されたと判定される場合もあり得る。この場合には、例えば、ステップＳ３０４で当該コンテンツの再生が開始された後、ステップＳ３０５で仮編集をしないと判定され続けて、ステップＳ３１２で再生を終了すると判定されるまで当該コンテンツに係る再生処理が行われればよい。以下、ステップＳ３０２で動画ファイルが選択され、ステップＳ３０４で動画ファイルの再生が開始される場合を例として説明を続ける。
【００６７】
ステップＳ３０５において、機器側制御部１１０は、再生されている動画について仮編集を行うか否かを判定する。本実施形態に係る仮編集処理は、仮編集画像（仮編集コマ）及び仮編集音声を生成して、携帯端末２００へ送信する処理である。ここで、本実施形態に係る仮編集画像は、ユーザによって選択された時間範囲（仮編集時間範囲）に含まれる、画像片である。同様に、本実施形態に係る仮編集音声は、仮編集時間範囲に含まれる、音声片である。本判定では、例えば、動画再生中にユーザが機器側操作部１４０（タッチディスプレイ）をタッチしたとき等、ユーザが仮編集を指示したときに仮編集を行うと判定される。なお、仮編集の開始位置は、再生に伴って伸張された動画データが仮記録される等して、ユーザが指示したタイミングより前に設定されてもよい。また、仮編集が行われる範囲は、ユーザが開始を指示したタイミングから終了を指示するタイミングまでの間であってもよいし、ユーザが開始を指示したタイミングから所定時間経過するまでの間であってもよい。所定時間は、予め５秒等の値が設定されていてもよいし、ユーザが適宜入力して設定されてもよい。処理は、仮編集を行うと判定された場合はステップＳ３０６へ進み、判定されなかった場合はステップＳ３１２へ進む。
【００６８】
ステップＳ３０６において、機器側制御部１１０は、ステップＳ２０２と同様にして、再生のために伸張された元動画（第１の画像）から画像片を生成する。ステップＳ３０７において、機器側制御部１１０は、ステップＳ２０３と同様にして、画像片に第１の時間情報（タイムスタンプ）を添付する。ステップＳ３０８において、機器側制御部１１０は、ステップＳ２０４と同様にして、元動画（第１の音声）から音声片を生成する。ステップＳ３０９において、機器側制御部１１０は、ステップＳ２０５と同様にして、音声片に第２の時間情報（タイムスタンプ）を添付する。ステップＳ３１０において、機器側制御部１１０は、仮編集を終了するか否かを判定する。本判定は、ユーザ操作に基づいて行われてもよいし、仮編集時間範囲として設定されている所定範囲について画像片化及び音声片化が終了したか否かに基づいて行われてもよい。処理は、終了すると判定された場合はステップＳ３１１へ進み、判定されなかった場合は、ステップＳ３０６へ戻る。
【００６９】
ステップＳ３１１において、機器側制御部１１０は、仮編集によって生成された画像片に基づき仮編集画像（仮編集コマ）を生成し、仮編集によって生成された音声片に基づいて仮編集音声を生成する。機器側制御部１１０は、生成された仮編集画像及び仮編集音声を画像片及び音声片の単位で携帯端末２００へ送信させる。
【００７０】
ステップＳ３１２において、機器側制御部１１０は、動画（選択された再生可能なコンテンツ）の再生を終了するか否かを判定する。本判定は、コンテンツの再生時間が終了した場合、ユーザの再生終了を指示する操作があった場合等に再生を終了すると判定される。処理は、再生を終了すると判定された場合は仮編集付き再生処理を終了してキャプチャ機器制御処理のステップＳ１１１へ戻り、判定されなかった場合はステップＳ３０５へ戻る。
【００７１】
ここで、図６Ａ及び図６Ｂに携帯端末２００で行われる携帯端末制御処理の一例をフローチャートとして示し、これを参照して情報処理システム１の動作についてより詳細に説明する。
【００７２】
ステップＳ４０１において、端末側制御部２１０は、携帯端末２００にインストールされている各種アプリ（実行可能な各種機能）を示すアイコンを表示するための表示情報を生成し、生成した表示情報を端末側表示部２２０に表示させる。
【００７３】
このときの表示の一例を図７Ａに示す。図７Ａに示す表示例では、アイコンとして、動画編集アプリを示す動画編集アイコン８０１と、メールアプリを示すメールアイコン８０２と、電話アプリを示す電話アイコン８０３とが表示されている。また、図７Ａに示す表示例では、動画編集アプリ、メールアプリ及び電話アプリ以外のアプリを示すその他アイコン８０４がさらに表示されている。このように、他のアプリが携帯端末２００にインストールされているときには、インストールされているアプリに応じて、表示されるアイコンは適宜変更され得る。なお、その他アイコン８０４は、その他のアプリを示すアイコンをさらに表示させるアイコンであってもよい。
【００７４】
ステップＳ４０２において、端末側制御部２１０は、動画編集アプリが選択されたか否かを判定する。本判定は、端末側操作部２４０の出力するユーザ操作の結果に基づいて行われる。ユーザ操作は、例えば、ユーザが動画編集アイコン８０１の表示されている位置をタッチする操作である。本判定では、ユーザによって動画編集アイコン８０１が選択されたときに、動画編集アプリが選択されたと判定される。また、図７Ａに示すように、選択されたアプリを示すアイコンが強調表示されてもよい。処理は、動画取得モードが選択されたと判定された場合はステップＳ４０４へ進み、判定されなかった場合はステップＳ４０３へ進む。
【００７５】
ステップＳ４０３において、端末側制御部２１０は、ステップＳ４０１の後にユーザが選択したアイコンの示すアプリに係る処理（その他の処理）を行う。例えば、端末側制御部２１０は、メールアイコン８０２が選択されたときには、メールアプリを起動し、メールアプリに係る処理を行う。例えば、端末側制御部２１０は、電話アイコン８０３が選択されたときには、電話アプリを起動し、電話アプリに係る処理を行う。処理は、その他の処理が終了した後、ステップＳ４０１へ戻る。
【００７６】
ステップＳ４０４において、端末側制御部２１０は、動画編集アプリを起動する。端末側制御部２１０は、動画編集アプリ内の各種機能を示すアイコンを表示するための表示情報を生成し、生成した表示情報を端末側表示部２２０に表示させる。
【００７７】
このときの表示の一例を図７Ｂに示す。図７Ｂに示す表示例では、アイコンとして、動画取得アイコン８０５ａと、仮編集データ受信アイコン８０５ｂと、画像又は音声データ取得アイコン８０５ｃと、通信設定アイコン８０５ｄとが表示されている。ここで、動画取得アイコン８０５ａは、動画データをキャプチャ機器１００から取得する機能を示すアイコンである。仮編集データ受信アイコン８０５ｂは、仮編集データ（仮編集画像及び仮編集音声）をキャプチャ機器１００から取得する機能を示すアイコンである。画像又は音声データ取得アイコン８０５ｃは、画像又は音声データをキャプチャ機器１００から取得する機能を示すアイコンである。通信設定アイコン８０５ｄは、通信先となるキャプチャ機器１００の情報を登録したり、キャプチャ機器１００との間の通信に係る各種設定をしたりする機能を示すアイコンである。また、図７Ｂに示す表示例では、戻るボタン８０６がさらに表示されている。戻るボタン８０６は、前の表示画面へ戻る機能を示すアイコンである。例えば、図７Ｂに示す表示例における戻るボタン８０６は、表示画面を図７Ａに示す表示例の状態に戻す機能を示すアイコンである。
【００７８】
なお、ステップＳ４０１及びステップＳ４０４において、各種アイコンが一覧表示される場合を例として説明をしたが、これに限らない。各種アイコンは、ユーザのスワイプ操作等に応じて順次表示されてもよい。
【００７９】
ステップＳ４０５において、端末側制御部２１０は、動画取得アイコン８０５ａが選択されたか否かを判定する。本判定は、端末側操作部２４０の出力するユーザ操作の結果に基づいて行われる。ユーザ操作は、例えば、ユーザが動画取得アイコン８０５ａの表示されている位置をタッチする操作である。また、図７Ｂに示すように、選択された動画編集アプリ内の機能を示すアイコンが強調表示されてもよい。処理は、動画取得アイコン８０５ａが選択されたと判定された場合はステップＳ４０６へ進み、判定されなかった場合はステップＳ４１８へ進む。
【００８０】
ステップＳ４０６において、端末側制御部２１０は、キャプチャ機器１００へ第１の通信を用いて通信要求を行う。その後、端末側制御部２１０は、キャプチャ機器１００との間で第２の通信を確立させる。第２の通信が確立した後、端末側制御部２１０は、キャプチャ機器１００に記録されている各々の動画データを示すサムネイル画像を取得する。端末側制御部２１０は、取得したサムネイル画像を端末側表示部２２０へ表示させる。
【００８１】
このときの表示の一例を図７Ｃに示す。図７Ｃに示す表示例では、第１の動画を示す第１のサムネイル画像８０７と、第２の動画を示す第２のサムネイル画像８０８と、第３の動画を示す第３のサムネイル画像８０９と、第４の動画を示す第４のサムネイル画像８１０とが表示されている。また、図７Ｃに示す表示例では、送り／戻しボタン８１１と、選択ボタン８１２と、戻るボタン８０６とが、さらに表示されている。送り／戻しボタン８１１は、編集する動画データの切り替えを行う際にユーザによって選択されるボタンである。例えば、図７Ｃでは、ユーザによる送り／戻しボタン８１１の操作の結果、第４のサムネイル画像８１０が仮選択されている状態の表示例が示されている。図７Ｃに示すように、仮選択されたサムネイル画像は、例えば太枠線で囲まれた強調表示等により、仮選択されていることがユーザに分かるように他のサムネイル画像と区別されていてもよい。選択ボタン８１２は、送り／戻しボタン８１１の操作によって仮選択されている動画データを、ユーザが編集する動画データであると選択するためのボタンである。戻るボタン８０６は、前の表示画面へ戻る機能を示すアイコンであり、例えば、図７Ｃに示す表示例では、表示画面を図７Ｂに示す表示例の状態に戻す機能を示すアイコンである。
【００８２】
なお、通信要求の送信先は、例えば、後述する通信設定において予め通信相手として設定されているキャプチャ機器１００であるが、これに限らない。例えば、本ステップにおいて、キャプチャ機器１００が第１の通信で検索されてもよいし、キャプチャ機器１００が通信相手として登録されてもよい。
【００８３】
なお、第２の通信によってサムネイル画像がキャプチャ機器１００から取得されると説明したが、これに限らない。サムネイル画像は、第１の通信によって取得されてもよい。
【００８４】
ステップＳ４０７において、端末側制御部２１０は、何れかの動画データが選択されたか否かを判定する。本判定は、端末側操作部２４０の出力するユーザ操作の結果に基づいて行われる。ユーザ操作は、例えば、何れかのサムネイル画像が仮選択されている状態でユーザが選択ボタン８１２をタッチする操作である。なお、ユーザによるサムネイル画像の仮選択は、ユーザが編集したいサムネイル画像の表示されている位置をタッチして行われてもよいし、ユーザが送り／戻しボタン８１１を操作してサムネイル画像を順次仮選択しながら行われてもよい。本判定では、ユーザが何れかのサムネイル画像を選択したと判定された場合に、何れかの動画データが選択されたと判定される。処理は、何れかの動画データが選択されたと判定された場合はステップＳ４０９へ進み、判定されなかった場合はステップＳ４０８へ進む。ステップＳ４０８において、端末側制御部２１０は、戻るボタン８０６が選択されたか否かを判定する。処理は、選択されたと判定されなかった場合はステップＳ４０７へ戻り、判定された場合はステップＳ４０４へ戻る。したがって、本ステップで戻るボタン８０６が選択されたと判定された場合は、表示画面は、図７Ｃに示す表示例から、図７Ｂに示す表示例へと戻る。
【００８５】
ステップＳ４０９において、端末側制御部２１０は、ステップＳ４０７で選択されたと判定された動画データに基づいて生成された画像片と音声片とを、キャプチャ機器１００から順次、画像片及び音声片の単位で受信する。画像片と音声片とは、第２の通信を介して受信される。なお、ステップＳ４０６において第１の通信によってサムネイル画像が受信された場合には、第２の通信は、本ステップの処理に先立って確立されればよい。
【００８６】
ステップＳ４１０において、端末側制御部２１０は、受信した画像片と音声片とを、各々に付された時間情報（タイムスタンプ）毎に仮記録部２５１へ仮記録する。このようにして画像片と音声片とが受信されて仮記録された後の表示の一例を図７Ｄに示す。図７Ｄに示す表示例では、プレビュー画面８１３と、送り／戻しボタン８１１と、再生ボタン８１４と、編集ボタン８１５と、戻るボタン８０６とが表示されている。ユーザは、受信した動画データ（画像片及び音声片）について、再生ボタン８１４を操作することで、プレビュー画面８１３で再生して確認できる。また、ユーザは、戻るボタン８０６を操作して図７Ｃに示す表示画面に戻り、別の動画データを選択することもできる。また、ユーザは、送り／戻しボタン８１１を操作して、別の動画データを再度選択することもできる。また、ユーザは、プレビュー画面８１３に表示されている動画データを編集したいときには、編集ボタン８１５を操作する。処理は、ユーザが編集ボタン８１５を操作した後に、ステップＳ４１１へ進む。
【００８７】
ステップＳ４１１において、端末側制御部２１０は、結合編集用の表示情報を生成し、端末側表示部２２０に表示させる。このときの表示の一例を図７Ｅに示す。図７Ｅに示す表示例では、編集用プレビュー画面８１７と、共通時間幅８１８と、共通プレビューボタン８１９と、共通範囲選択バー８２０と、分離編集ボタン８２５と、戻るボタン８２６と、決定ボタン８２７とが表示されている。
【００８８】
編集用プレビュー画面８１７は、編集中の素材動画（素材画像）を再生して確認するプレビュー表示ための表示画面である。共通時間幅８１８は、現在の共通範囲選択バーが示す時間範囲（共通時間範囲）の時間幅を表示するものであり、図７Ｅに示す表示例では、共通時間範囲の時間幅が１分３０秒であることを示している。共通プレビューボタン８１９は、編集中の素材動画を再生して確認するためのプレビュー再生の開始を指示するためのボタンである。
【００８９】
共通範囲選択バー８２０は、結合編集において、観賞用動画の生成に用いる画像片及び音声片の時間範囲（共通時間範囲）を設定するためのスライドバーである。共通範囲選択バー８２０は、共通時間スケール８２１と、共通始点８２２と、共通終点８２３と、共通位置インジケータ８２４とを含む。共通時間スケール８２１は、左端が元動画の開始位置を示し、右端が元動画の終了位置を示す時間軸である。共通始点８２２は、共通時間範囲の開始位置（開始時間）を示す。共通終点８２３は、共通時間範囲の終了位置（終了時間）を示す。共通位置インジケータ８２４は、現在、編集用プレビュー画面８１７に表示されている画像片の、元動画（受信した画像片及び音声片）に対する時間の位置を示す。ユーザは、共通始点８２２と、共通終点８２３とを共通時間スケール８２１上で各々に動かして、共通始点８２２と、共通終点８２３との間の範囲を素材動画として切り出す範囲として選択する。また、ユーザは、共通位置インジケータ８２４を共通時間スケール８２１上で動かして、共通時間スケール８２１上の各々の位置（時間）における画像片（音声片）を確認できる。また、ユーザが共通プレビューボタン８１９を選択したときには、共通位置インジケータ８２４の位置（時間）から、動画データのプレビュー（再生）が行われる。
【００９０】
分離編集ボタン８２５は、分離編集の開始を指示するためのボタンである。分離編集の詳細は後述する。戻るボタン８２６は、図７Ｄに示す表示例の状態に表示画面を戻すためのボタンである。決定ボタン８２７は、共通範囲選択バー８２０が示す範囲を素材動画の範囲として決定するためのボタンである。決定ボタン８２７が選択されたときには、共通範囲選択バー８２０の示す範囲（共通時間範囲）に含まれる画像片及び音声片に基づいて、素材画像及び素材音声が生成される。
【００９１】
ステップＳ４１２において、端末側制御部２１０は、分離編集が選択されたか否かを判定する。本判定は、端末側操作部２４０の出力するユーザ操作の結果に基づいて行われる。ユーザ操作は、例えば、ユーザが分離編集ボタン８２５をタッチする操作である。処理は、分離編集が選択されたと判定された場合はステップＳ４１３へ進み、判定されなかった場合はステップＳ４１６へ進む。
【００９２】
ステップＳ４１３において、端末側制御部２１０は、分離編集処理を行う。ここで、本実施形態に係る分離編集処理の一例をフローチャートとして図８に示す。
【００９３】
ステップＳ５０１において、端末側制御部２１０は、画像片と音声片との各々の時間範囲（第１の時間範囲及び第２の時間範囲）を個別にユーザに選択させるために、各々に対応した範囲選択バーをそれぞれ表示（分離表示）する。
【００９４】
このときの表示の一例を図９Ａに示す。図９Ａに示すように、分離編集処理における表示では、共通範囲選択バー８２０の代わりに、画像範囲選択バー８２０ａと、音声範囲選択バー８２０ｂとが表示される。ここで、画像範囲選択バー８２０ａは、素材画像として用いられる画像片の時間範囲（第１の時間範囲）を選択するための範囲選択バー（画像対応バー）である。音声範囲選択バー８２０ｂは、素材音声として用いられる音声片の時間範囲（第２の時間範囲）を選択するための範囲選択バー（画像対応バー）である。なお、上述した共通範囲選択バー８２０は、音声兼用の画像対応バーとも表現できる。すなわち、共通範囲選択バー８２０は、第１の時間範囲と第２の時間範囲とが常に一致した状態で、時間範囲（共通時間範囲）を選択するための範囲選択バーとも表現できる。
【００９５】
同様に、共通時間スケール８２１は、画像時間スケール８２１ａ及び音声時間スケール８２１ｂに分離表示される。共通始点８２２は、画像始点８２２ａ及び音声始点８２２ｂに分離表示される。共通終点８２３は、画像終点８２３ａ及び音声終点８２３ｂに分離表示される。共通位置インジケータ８２４は、画像位置インジケータ８２４ａ及び音声位置インジケータ８２４ｂに分離表示される。また、共通時間幅８１８と、共通プレビューボタン８１９とは、それぞれ、画像時間幅８１８ａ及び音声時間幅８１８ｂと、画像プレビューボタン８１９ａ及び音声プレビューボタン８１９ｂとに分離表示される。
【００９６】
また、画像時間幅８１８ａ及び音声時間幅８１８ｂの横には、それぞれ、画像片と音声片とのうち何れの範囲選択を行うかを指定するために、画像範囲選択ボタン８２８と、音声範囲選択ボタン８２９とが設けられている。例えばユーザは、画像片の範囲（第１の時間範囲）を選択するときには、画像範囲選択ボタン８２８を選択した後に、画像範囲選択バー８２０ａを操作する。なお、画像片の範囲（第１の時間範囲）を選択するときには、画像範囲選択ボタン８２８を選択することなく、直接的に画像範囲選択バー８２０ａが操作されるような構成であってもよい。図９Ａの表示例では、画像範囲選択ボタン８２８が選択されて強調表示されている場合が示されている。なお、画像範囲選択ボタン８２８と、音声範囲選択ボタン８２９とは、画像と音声とのうち何れの範囲選択に係る処理が行われているかを表示するためのアイコンであってもよい。図９Ａの表示例では、戻るボタン８２６と、決定ボタン８２７とがさらに表示されている。図９Ａの表示例での戻るボタン８２６は、表示画面を図７Ｅに示す表示例の状態に戻すためのボタンである。決定ボタン８２７は、現在の画像範囲選択バー８２０ａ及び音声範囲選択バー８２０ｂの示す時間範囲を、それぞれ、第１の時間範囲及び第２の時間範囲として決定するためのボタンである。
【００９７】
ステップＳ５０２において、端末側制御部２１０は、画像範囲選択に係る操作が行われたか否かを判定する。本判定では、画像範囲選択ボタン８２８が操作されたり、画像範囲選択バー８２０ａが操作されたりしたときに、画像範囲選択に係る操作が行われたと判定され得る。処理は、画像範囲選択に係る操作が行われたと判定された場合はステップＳ５０３へ進み、判定されなかった場合はステップＳ５０４へ進む。ステップＳ５０３において、端末側制御部２１０は、ユーザ操作の結果を取得し、ユーザ操作に応じた位置に画像始点８２２ａや画像終点８２３ａを表示させる。また、変更後の画像時間幅８１８ａを算出し、表示を更新する。その後、処理はステップＳ５０４へ進む。
【００９８】
ここで、ステップＳ５０３において、画像範囲に係る操作が行われた場合の表示の一例を図９Ｂに示す。図９Ｂに示す表示例は、図９Ａに示す表示の状態から、画像範囲選択バー８２０ａの画像始点８２２ａ及び画像終点８２３ａの位置が変更されたときの表示の状態を示す。このとき、変更後の画像始点８２２ａ及び画像終点８２３ａの位置に基づき、更新された画像時間幅８１８ａａが表示される。以下、更新された画像時間幅８１８ａａが、図９Ｂの表示例に示すように、３０秒である場合を例として説明を続ける。
【００９９】
ステップＳ５０４において、端末側制御部２１０は、音声範囲選択に係る操作が行われたか否かを判定する。本判定では、音声範囲選択ボタン８２９が操作されたり、音声範囲選択バー８２０ｂが操作されたりしたときに、音声範囲に係る操作が行われたと判定され得る。処理は、音声範囲選択に係る操作が行われたと判定された場合はステップＳ５０５へ進み、判定されなかった場合はステップＳ５０６へ進む。ステップＳ５０５において、端末側制御部２１０は、ユーザ操作の結果を取得し、ユーザ操作に応じた位置に音声始点８２２ｂや音声終点８２３ｂを表示させる。また、変更後の音声時間幅８１８ｂを算出し、表示を更新する。その後、処理はステップＳ５０６へ進む。
【０１００】
ステップＳ５０６において、端末側制御部２１０は、確認再生、送り又は戻し等の操作があったか否かを判定する。本判定では、画像プレビューボタン８１９ａ又は音声プレビューボタン８１９ｂが選択されたと判定されたときに確認再生の操作があったと判定される。本判定では、画像位置インジケータ８２４ａ又は音声位置インジケータ８２４ｂの操作があったと判定されたときには送り又は戻し操作があったと判定される。なお、画像位置インジケータ８２４ａ又は音声位置インジケータ８２４ｂの位置が左端へ向かって移動させられた場合は戻し操作があったと判定される。また、画像位置インジケータ８２４ａ又は音声位置インジケータ８２４ｂの位置が右端へ向かって移動させられた場合は送り操作があったと判定される。処理は、確認再生、送り又は戻し等の操作があったと判定された場合はステップＳ５０７へ進み、判定されなかった場合はステップＳ５０８へ進む。ステップＳ５０７において、端末側制御部２１０は、確認再生、送り又は戻し等のユーザ操作に応じた処理を行う。その後、処理はステップＳ５０８へ進む。
【０１０１】
ステップＳ５０８において、端末側制御部２１０は、分離編集における範囲指定を終了するか否かを判定する。本判定では、決定ボタン８２７が操作されたときに、分離編集における範囲指定を終了すると判定される。処理は、終了すると判定された場合はステップＳ５０９へ進み、判定されなかった場合はステップＳ５０１へ戻る。
【０１０２】
ステップＳ５０９において、端末側制御部２１０は、キャプションやタイトル等の編集画面を表示させる。また、端末側制御部２１０は、ユーザの操作結果に応じて画像片にキャプションを追加する等の画像処理を施したり、観賞用動画の生成に用いられる画像片以外の挿入画像を生成したりする。ステップＳ５１０において、端末側制御部２１０は、それぞれに範囲指定された素材画像、素材音声、その他画像等との組合せ指定を行う。
【０１０３】
ここで、分離編集処理で生成される観賞用動画について説明するための図を模式図として図９Ｃに示し、ステップＳ５０９及びステップＳ５１０の処理についてより詳細に説明をする。図９Ｃに示すように、ユーザは、タイトル画像Ｆ３０、エンディング画像Ｆ５０等の挿入画像を作成する。例えば、ユーザは、例えばＨａｐｐｙ  Ｗｅｄｄｉｎｇ等の、観賞用動画のタイトル、コメント等を入力して、タイトル画像Ｆ３０を作成する。また、ユーザは、タイトル画像Ｆ３０と、素材画像Ｆ４０と、エンディング画像Ｆ５０との組合せ、並び順等を指定する。このとき、ユーザは、素材画像とは分離して範囲指定された素材音声を聞きながら、素材画像、挿入画像の位置を指定したりする。図９Ｃでは、元動画の３分から３分３０秒までの範囲が素材画像として用いられており、元動画の２分３０秒から４分までの範囲が素材音声として用いられている場合が例として示されている。例えば、ユーザは、拍手や歓声が大きくなり会場が盛り上がったときの音声の位置に、そのシーンを代表する画像（画像片）を含む素材画像を配置する。
【０１０４】
ステップＳ５１１において、端末側制御部２１０は、分離編集を終了するか否かを判定する。本判定では、決定ボタン８２７が選択されたと判定されたときに分離編集を終了すると判定される。端末側制御部２１０は、分離編集を終了すると判定されたときには、表示を図７Ｅの表示例の状態にする。処理は、終了すると判定されなかった場合はステップＳ５０１へ戻り、終了すると判定された場合は携帯端末制御処理のステップＳ４１４へ進む。
【０１０５】
ここで、図６Ａ及び図６Ｂを再び参照して、携帯端末制御処理の説明を続ける。ステップＳ４１４において、端末側制御部２１０は、動画編集を終了するか否かを判定する。本判定では、決定ボタン８２７が選択されたと判定されたときに動画編集を終了すると判定される。処理は、終了すると判定された場合はステップＳ４１５へ進み、判定されなかった場合はステップＳ４１２へ戻る。
【０１０６】
ステップＳ４１５において、端末側制御部２１０は、素材画像、素材音声、挿入画像等に基づいて、観賞用動画の動画ファイルを生成する。また、端末側制御部２１０は、生成した動画ファイルを端末側記録部２５０の情報記録部２５２へ記録する。その後、処理はステップＳ４０１へ戻る。
【０１０７】
ステップＳ４１６において、端末側制御部２１０は、分離編集処理のステップＳ５０２乃至ステップＳ５０７の処理と同様にして、観賞用動画の生成に用いられる画像片及び音声片の範囲（共通時間範囲）を、ユーザ操作に応じて決定する結合編集処理を実行する。上述したように、結合編集に係る処理は、ユーザによる共通範囲選択バー８２０等の操作に応じて行われる。そのため、結合編集において、素材画像又は素材音声として指定される画像片又は音声片の時間の位置や時間幅、すなわち時間範囲（共通時間範囲）は同一である。ステップＳ４１７において、端末側制御部２１０は、分離編集処理のステップＳ５０８と同様にして、キャプション、タイトル等を編集する。その後、処理はステップＳ４１４へ進む。
【０１０８】
ステップＳ４１８において、端末側制御部２１０は、仮編集データ（仮編集画像及び仮編集音声）をキャプチャ機器１００から受信するか否かを判定する。このときの表示は、図７Ｂに示す表示例の状態である。本判定は、仮編集データ受信アイコン８０５ｂが選択されたか否かに基づいて行われてもよいし、キャプチャ機器１００から通信要求があったか否かに基づいて行われてもよい。処理は、受信すると判定された場合はステップＳ４１９へ進み、判定されなかった場合はステップＳ４２０へ進む。ステップＳ４１９において、端末側制御部２１０は、仮編集画像及び仮編集音声を画像片及び音声片の単位でキャプチャ機器１００から受信する。受信された仮編集画像及び仮編集音声に含まれる画像片及び音声片は、各々に添付されている時間情報毎に仮記録部２５１に仮記録される。仮記録された仮編集画像及び仮編集音声は、ステップＳ４１１乃至ステップＳ４１４の処理と同様にして、編集され得る。その後、処理はステップＳ４０４へ戻る。
【０１０９】
ステップＳ４２０において、端末側制御部２１０は、通信設定を行うか否かを判定する。このときの表示は、図７Ｂに示す表示例の状態である。本判定は、通信設定アイコン８０５ｄが選択されたか否かに基づいて行われてもよいし、キャプチャ機器１００から通信要求があったか否かに基づいて行われてもよい。処理は、通信設定を行うと判定された場合はステップＳ４２１へ進み、判定されなかった場合はステップＳ４２２へ進む。ステップＳ４２１において、端末側制御部２１０は、通信設定を行う。通信設定では、通信相手としてキャプチャ機器１００に係る情報が登録されたりする。その後、処理はステップＳ４０４へ戻る。
【０１１０】
ステップＳ４２２において、端末側制御部２１０は、動画編集アプリを終了するか否かを判定する。このときの表示は、図７Ｂに示す表示例の状態である。本判定では、戻るボタン８０６が選択されたときに動画編集アプリを終了すると判定される。端末側制御部２１０は、動画編集アプリを終了すると判定されたときには、表示を図７Ａに示す表示例の状態にする。処理は、終了すると判定されなかった場合はステップＳ４０４へ戻り、判定された場合はステップＳ４０１へ戻る。
【０１１１】
＜利点＞
本実施形態に係るキャプチャ機器１００は、特定タイミング毎に元動画の第１の画像（動画コマ）を画像化して画像片を生成し、また、特定タイミング毎に第１の画像に対応する第１の音声を切り分けて音声片（音声クリップ）を生成することができる。キャプチャ機器１００は、これら画像片と音声片との各々に時間情報（第１の時間情報と第２の時間情報）を添付し、生成された画像片及び音声片の単位で携帯端末２００へ送信できる。画像片及び音声片は、それぞれ単独で再生され得る。また、本実施形態に係るキャプチャ機器１００は、携帯端末２００へ送信する画像片及び音声片の範囲（仮編集時間範囲）を指定することもできる。
【０１１２】
このようにして、本実施形態に係るキャプチャ機器１００は、高品質の元動画をそのまま携帯端末２００へ送信する場合と比べて、通信に係るデータ容量を低減できる。通信されるデータ容量の低減は、電力消費の低減や記録容量の節約に寄与することから、キャプチャ機器１００や携帯端末２００が携帯機器である場合には、特に有用である。
【０１１３】
また、本実施形態に係る携帯端末２００は、画像片及び音声片をキャプチャ機器１００から取得し、時間情報毎に仮記録する。また、携帯端末２００は、時間情報毎に仮記録された画像片及び音声片に基づいた結合編集又は分離編集により、観賞用動画を生成できる。このため、ユーザは、スマートフォン等の携帯端末２００で簡易に動画データを取得して確認したり、編集して共有に適した観賞用動画を作成したりできる。
【０１１４】
また、本実施形態に係る携帯端末２００の備える端末側表示制御部２１８は、分離編集において、第１の時間情報に対応した画像範囲選択バーと、第２の時間情報に対応した音声範囲選択バーとを表示させる表示情報を生成する。画像範囲選択バー及び音声範囲選択バーの示す各々の時間範囲は、端末側操作部２４０の取得したユーザ操作の結果に応じてそれぞれ変化する。端末側編集部２１７は、画像範囲選択バーの示す時間範囲を、観賞用動画の生成に用いられる画像片の時間範囲（第１の時間範囲）として取得し、音声範囲選択バーの示す時間範囲を、音声片の時間範囲（第２の時間範囲）として取得する。このため、ユーザは、スマートフォン等の携帯端末２００で簡易に動画データを編集して、元動画において異なる時間位置に記録されている画像のハイライトと音声のハイライトとを含む見ごたえのある観賞用動画を生成できる。
【０１１５】
以上のことから、本実施形態に係る技術は、元の動画データより時間的に短縮された観賞用動画データ（音声付き編集動画像データ）を得るように構成された動画編集システムを実現できるとも表現できる。ここで、元の動画データは、上述の実施形態に係る時間的に連続した複数の画像を含む第１の画像（画像データ）と、第１の画像に対応する第１の音声（音声データ）とを含む。
【０１１６】
動画編集システムは、画像データと、画像データと同時に収音された音声データとが同時に動画データとして記録される記録部を備える。この記録部は、例えば上述の実施形態に係るキャプチャ機器１００の備える機器側記録部１５０であるが、携帯端末２００の備える端末側記録部２５０であってもよい。また、画像データは、例えば上述の実施形態に係る機器側撮像部１７０によって取得されるが、携帯端末２００が端末側撮像部を備えて端末側撮像部によって取得されてもよいし、動画編集システムの外部から取得されてもよい。同様に、画像データと同時に収音される音声データは、例えば上述の実施形態に係る機器側収音部１８０によって取得されるが、携帯端末２００が端末側収音部を備えて端末側撮像部によって取得されてもよいし、動画編集システムの外部から取得されてもよい。
【０１１７】
動画編集システムでは、記録された画像データの中から第１のタイミングで画像片が切り取られる。また、画像データと同時に記録された音声データから第２のタイミングで音声片が切り取られる。ここで、第１のタイミングと第２のタイミングとは同じであってもよいし、異なっていてもよい。
【０１１８】
動画編集システムは、第１のタイミングで切り取られた画像片と、第２のタイミングで切り取られた音声片とから、元の動画データ（画像データ及び音声データ）より時間的に短縮された音声付き編集動画像データを得るように構成されている。なお、音声付き編集動画像データの生成は、例えば、上述の実施形態に係る携帯端末２００において行われるが、キャプチャ機器１００で行われてもよい。
【０１１９】
なお、音声データは、画像データと同時に取得された音声データであると記載したが、これは、本動画編集システムが単一の動画ファイル（元の動画データ）に含まれる画像データ（第１の画像）と音声データ（第１の音声）とを編集するためのシステムであることを示している。したがって、画像データと音声データとは、単一の動画ファイルとして記録されていればよく、必ずしも同時に取得されたものに限らない。
【０１２０】
＜変形例＞
（分離編集処理の変形例）
なお、分離編集処理では、同一の素材画像が繰り返し用いられて、素材音声と組み合わされてもよい。同様に、同一の素材音声が繰り返し用いられて、素材画像と組み合わされてもよい。ここで、素材画像が繰り返し用いられて観賞用動画を生成するときの表示の一例を図１０Ａに示し、素材画像が繰り返し用いられた観賞用動画について説明するための図を模式図として図１０Ｂに示す。図１０Ａ及び図１０Ｂを参照して、素材画像が繰り返し用いられて観賞用動画が生成される場合の処理についてより詳細に説明をする。図１０Ａに示す表示は、画像範囲選択バー８２０ａが操作されて画像時間幅８１８ａが指定された後の状態である。例えば、画像時間幅８１８ａの表示位置がタッチされる等して選択されたとき、当該表示位置には画像繰り返しボタン８１８ａｂが表示される。画像繰り返しボタン８１８ａｂが選択されたとき、図１０Ｂに示すように、現在指定されている画像時間幅８１８ａの素材画像が繰り返し用いられて観賞用動画が生成される。このとき、さらにタイトル等の挿入画像が用いられたり、素材画像を構成する画像片にキャプションが付加されたりしてもよい。
【０１２１】
なお、上述の実施形態及び変形例では、画像片及び音声片に加えて挿入画像が用いられて観賞用動画が生成される場合を例として説明したが、これに限らない。観賞用動画は、画像片及び音声片のみに基づいて生成されてもよいし、画像片及び音声片に加えて効果音、又は挿入画像及び効果音が用いられて生成されてもよい。
【０１２２】
なお、上述の実施形態及び変形例では、ユーザがタイトル等を入力して挿入画像が生成される場合を例として説明をしたが、これに限らない。挿入画像や効果音は、インターネット等の電気通信回線上のサーバ等から取得されてもよいし、機器側記録部１５０又は端末側記録部２５０から取得されてもよい。このとき、挿入画像や効果音として、他の元動画から生成された画像片や音声片が用いられてもよい。また、携帯端末２００がカメラを備えている場合には、携帯端末２００が撮像して取得された画像データが挿入画像として用いられてもよい。同様に、携帯端末２００がマイクを備えている場合には、携帯端末２００が収音して取得された音声データが効果音として用いられてもよい。
【０１２３】
なお、上述の実施形態及び変形例では、第１の時間範囲に含まれる画像片（素材画像）の前後に挿入画像が追加される場合を例として説明をしたが、これに限らない。挿入画像は、画像片（素材画像）と画像片（素材画像）との間に挿入されてもよいし、画像片に重畳されてもよい。同様に、効果音は、音声片（素材音声）と音声片（素材音声）との間に挿入されてもよいし、音声片と重ね合わせるように追加されてもよい。
【０１２４】
なお、機器側情報処理部１１１の機能の一部は、キャプチャ機器１００の外部に設けられていてもよい。また、機器側情報処理部１１１は、キャプチャ機器１００の外部から取得された動画データに基づいて、画像片及び音声片を生成してもよい。同様に、端末側情報処理部２１１の機能の一部は、例えばインターネット上に設けられたサーバ等の携帯端末２００の外部に設けられていてもよい。この場合、キャプチャ機器１００で生成された画像片及び音声片は、当該サーバへ送信されてもよい。
【０１２５】
（仮編集付き再生処理の変形例）
上述の実施形態及び変形例では、キャプチャ機器１００で実行され、携帯端末２００へ送信される画像片及び音声片の時間範囲（仮編集時間範囲）を選択できる仮編集付き再生処理について説明をした。また、携帯端末２００で実行される分離編集処理について説明をした。
【０１２６】
このような中、キャプチャ機器１００から携帯端末２００へ送信される画像片及び音声片の時間範囲（仮編集時間範囲）は、画像片と音声片との間で異なっていてもよい。そこで、本変形例では、キャプチャ機器１００で実行される仮編集付き再生処理において、分離編集処理の一部が行われて、仮編集画像として選択される画像片の時間範囲（第３の時間範囲）と、仮編集音声として選択される音声片の時間範囲（第４の時間範囲）とが、個別に選択される仮編集付き再生処理について説明する。
【０１２７】
ここで、本変形例に係るキャプチャ機器１００で実行される仮編集付き再生処理の一例をフローチャートとして図１１Ａ及び図１１Ｂに示し、これらを参照して情報処理システム１の動作について説明をする。なお、本変形例に係る仮編集付き再生処理は、図３を参照して説明したキャプチャ機器制御処理のステップＳ１１７で行われる。
【０１２８】
ステップＳ６０１乃至ステップＳ６０９の処理は、それぞれ、第１の実施形態に係る仮編集付き再生処理のステップＳ３０１乃至ステップＳ３０９の処理と同様であり、機器側制御部１１０は、選択された元動画から画像片及び音声片を生成する。なお、画像片及び音声片が生成される元動画の範囲は、第１の実施形態に係る仮編集と同様に元動画の一部であってもよいし、第１の実施形態に係る画像片及び音声片送信処理と同様に、元動画の全体であってもよい。ステップＳ６１０において、機器側制御部１１０は、ステップＳ３１０と同様にして、画像片化及び音声片化に係る処理を終了するか否かを判定する。処理は、判定されなかった場合はステップＳ６０６へ戻り、本ステップで終了すると判定されるまで、画像片化及び音声片化に係る処理を継続する。処理は、終了すると判定された場合はステップＳ６１１へ進む。
【０１２９】
ここで、ステップＳ６０１における表示の一例を図１２Ａに示す。図１２Ａに示す表示例では、図７Ｃに示す表示例と同様に、機器側記録部１５０に記録されている各々の動画ファイルを示すサムネイル画像が一覧表示される。ユーザは、機器側操作部１４０を操作して、再生、編集等を実行する動画ファイルを選択する。
【０１３０】
ここで、ステップＳ６０４における表示の一例を図１２Ｂに示す。図１２Ｂに示す表示例では、ステップＳ６０１で選択された動画ファイルを示すサムネイル画像がプレビュー画面８１３に表示されている。また、図１２Ｂに示す表示例では、再生ボタン８１４と、仮編集ボタン８１５ａと、戻るボタン８０６と、送り／戻しボタン８１１とがさらに表示されている。機器側制御部１１０は、再生ボタン８１４が選択されたとき、当該動画ファイルの再生を開始する。機器側制御部１１０は、仮編集ボタン８１５ａが選択されたとき、当該動画ファイルの仮編集に係る処理を実行する。このとき、処理はステップＳ６０６へ進み、画像片及び音声片が生成される。機器側制御部１１０は、戻るボタン８０６が選択されたとき、表示を図１２Ａの表示例の状態に戻して、ユーザのサムネイル画像の選択操作を待機する。機器側制御部１１０は、送り／戻しボタン８１１が選択されたとき、プレビュー画面８１３に表示する動画ファイル、すなわち、現在選択されている動画ファイルを他の動画ファイルに切り替える。
【０１３１】
ステップＳ６１１において、機器側制御部１１０は、携帯端末２００で実行される携帯端末制御処理のステップＳ４１０と同様にして、時間情報毎に画像片と音声片とを機器側記録部１５０に仮記録する。
【０１３２】
ステップＳ６１２乃至ステップＳ６１４の処理は、それぞれ、携帯端末制御処理のステップＳ４１１乃至ステップＳ４１３の処理と同様である。機器側制御部１１０は、画像及び音声兼用の共通範囲選択バー８２０を含む、結合編集用の表示情報を生成し、キャプチャ機器１００の備える機器側表示部１２０に表示させる。
【０１３３】
ここで、ステップＳ６１２における表示の一例を図１２Ｃに示す。図１２Ｃに示す表示例では、戻るボタン８０６、送り／戻しボタン８１１、プレビュー画面８１３が表示されている。機器側制御部１１０は、戻るボタン８０６が選択されたとき、表示を図１３Ｂに示す表示例の状態に戻す。また、図１２Ｃに示す表示例では、分離編集を指示する分離編集ボタン８２５が表示されている。機器側制御部１１０は、分離編集ボタン８２５が選択されたとき、本変形例に係る分離編集に係る処理を開始する。このとき、処理はステップＳ６１３へ進む。
【０１３４】
ステップＳ６１３において、機器側制御部１１０は、図８を参照して説明した分離編集処理と同様にして、仮編集における分離編集処理を実行する。キャプチャ機器１００で実行される仮編集における分離編集処理で生成される仮編集データは、携帯端末２００で実行される分離編集処理において、さらに編集（本編集）される。そのため、キャプチャ機器１００で実行される仮編集における分離編集処理は、携帯端末２００で実行される分離編集処理と比較して簡易なものであってもよい。例えば、本変形例に係る分離編集処理では、キャプション、タイトル等の入力に係る処理は行われなくてもよい。例えば、本変形例に係る分離編集処理では、組合せ指定に係る処理は行われない。キャプション、タイトル等の入力に係る処理や組合せ指定に係る処理は、ユーザインタフェースがキャプチャ機器１００と比べて豊富であり、また、インターネット等を介して挿入画像や交換音等を取得し易い携帯端末２００における本編集で行われればよい。
【０１３５】
ここで、ステップＳ６１３の仮編集における分離編集処理における表示の一例を図１２Ｄに示す。図１２Ｄに示す表示例は、図９Ｂに示す表示例と同様である。ただし、図１２Ｄに示す表示例では、図９Ｂに示す表示例における決定ボタン８２７の代わりに、決定送信ボタン８３０が表示されている。
【０１３６】
ステップＳ６１５及びステップＳ６１６の処理は、それぞれ、第１の実施形態に係る仮編集付き再生処理のステップＳ３１１及びステップＳ３１２の処理と同様である。機器側制御部１１０は、決定送信ボタン８３０が選択されたとき、本変形例に係る分離編集に係る処理と、仮編集処理とを終了させ、仮編集データを生成する。ここで、仮編集画像（仮編集コマ）は、現在の画像範囲選択バー８２０ａの示す時間範囲（第３の時間範囲）に含まれる画像片である。同様に、仮編集音声は、現在の音声範囲選択バー８２０ｂの示す時間範囲（第４の時間範囲）に含まれる音声片である。機器側制御部１１０は、生成された仮編集データ（仮編集画像及び仮編集音声）を画像片及び音声片の単位で携帯端末２００へ送信させる。送信後、機器側制御部１１０は、仮編集付き再生処理を終了させる。
【０１３７】
ステップＳ６１５における表示の一例を図１２Ｅに示す。図１２Ｅに示す表示例は、仮編集データが携帯端末２００へ送信されているときの表示を示す。図１２Ｅに示す表示例では、送信中の仮編集画像（画像片）を順次表示するプレビュー画面８３１と、仮編集データが送信中であることを示す送信状態表示部８３２と、図１２Ｄに示す表示例の状態に戻るための戻るボタン８３３とが表示されている。図１２Ｅに示す表示例では、送信状態表示部８３２には送信中と表示されている。なお、プレビュー画面８３１は、送信中の仮編集データを示すサムネイル画像を表示していてもよい。また、戻るボタン８３３は、キャプチャ機器制御処理のステップＳ１１１に戻ることを指示するボタンであってもよい。また、仮編集データの送信中、携帯端末２００においては、仮編集データの受信中であることを示す受信状態表示部８３４が表示されている。図１２Ｅに示す表示例では、受信状態表示部８３４には動画受信中と表示されている。
【０１３８】
ステップＳ６１７、ステップＳ６１８及びステップＳ６１９の処理は、それぞれ、第１の実施形態に係る携帯端末制御処理のステップＳ４１１、ステップＳ４１６及びステップＳ４１７の処理と同様である。機器側制御部１１０は、共通範囲選択バー８２０が操作されて指定された範囲（仮編集時間範囲）に基づいて、仮編集データを生成する。ただし、ステップＳ６１９で実行されるキャプション、タイトル等の編集に係る処理は、ステップＳ６１３の処理と同様に、仮編集では行われなくてもよい。
【０１３９】
このようにして生成されて携帯端末２００へ送信された仮編集データは、携帯端末２００において、観賞用動画を生成するための素材動画として用いられる。ここで、仮編集データ受信後の携帯端末２００における表示の一例を図１２Ｆに示す。図１２Ｆに示す表示例のように、本編集の実行を指示するための本編集ボタン８３５が表示される。ここで、本編集は、仮編集データに含まれる画像片及び音声片を用いた動画編集である。端末側制御部２１０は、本編集ボタン８３５が選択されたとき、図９Ａ及び図９Ｂを参照して説明したように、分離編集処理を実行する。
【０１４０】
このように、本変形例に係るキャプチャ機器１００は、携帯端末２００へ送信する画像片及び音声片の時間範囲を分離編集によってそれぞれ個別に設定できる。このため、本変形例に係る情報処理システム１では、通信されるデータ容量がさらに低減され得る。また、ユーザは、例えば撮影した内容を忘れないうちに、キャプチャ機器１００を用いて大まかに観賞用動画に用いる元動画の範囲を指定することができる。
【０１４１】
なお、本発明は、上記実施形態及び変形例に限定されるものではなく、実施段階ではその要旨を逸脱しない範囲で種々に変形することが可能である。また、上記実施形態及び各変形例は適宜組み合わせて実施してもよく、その場合組み合わせた効果が得られる。更に、上記実施形態及び変形例には種々の発明が含まれており、開示される複数の構成要件から選択された組み合わせにより種々の発明が抽出され得る。例えば、実施形態及び変形例に示される全構成要件からいくつかの構成要件が削除されても、課題が解決でき、効果が得られる場合には、この構成要件が削除された構成が発明として抽出され得る。
【０１４２】
なお、上記実施形態及び変形例中で、セクションやユニットとして記載した部分は、専用の回路や、複数の汎用の回路が組み合わされて構成されてもよく、必要に応じて、予めプログラムされたソフトウェアに従って動作を行うマイコン、ＣＰＵなどのプロセッサ、あるいはシーケンサが組み合わされて構成されてもよい。これは、一部または全部がＦＰＧＡで設計される場合もある。また、その制御の一部または全部を外部の装置が引き受けるような設計も可能で、この場合、有線や無線の通信回路が介在する。通信は、ＢｌｕｅｔｏｏｔｈやＷｉ−Ｆｉ、電話回線などで行われればよく、ＵＳＢなどで行われてもよい。専用の回路、汎用の回路や制御部が一体としてＡＳＩＣとして構成されてもよい。
【符号の説明】
【０１４３】
１…情報処理システム、１００…キャプチャ機器、１１０…機器側制御部、１１１…機器側情報処理部、１１２…機器側圧縮部、１１３…機器側伸長部、１１４…機器側分割部、１１５…機器側通信制御部、１１６…機器側記録制御部、１２０…機器側表示部、１３０…機器側音声再生部、１４０…機器側操作部、１５０…機器側記録部、１５１…画像記録部、１５２…音声記録部、１６０…機器側通信部、１６１…第１の機器側通信部、１６２…第２の機器側通信部、１７０…機器側撮像部、１８０…機器側収音部、１９０…機器側時計部、２００…携帯端末、２１０…端末側制御部、２１１…端末側情報処理部、２１２…端末側圧縮部、２１５…端末側通信制御部、２１６…端末側記録制御部、２１７…端末側編集部、２１８…端末側表示制御部、２２０…端末側表示部、２３０…端末側音声再生部、２４０…端末側操作部、２５０…端末側記録部、２５１…仮記録部、２５２…情報記録部、２６０…端末側通信部、２６１…第１の端末側通信部、２６２…第２の端末側通信部。
【図１Ａ】
2019103059.tif 000003
【図１Ｂ】
2019103059.tif 000004
【図１Ｃ】
2019103059.tif 000005
【図２Ａ】
2019103059.tif 000006
【図２Ｂ】
2019103059.tif 000007
【図２Ｃ】
2019103059.tif 000008
【図２Ｄ】
2019103059.tif 000009
【図２Ｅ】
2019103059.tif 000010
【図３】
2019103059.tif 000011
【図４】
2019103059.tif 000012
【図５】
2019103059.tif 000013
【図６Ａ】
2019103059.tif 000014
【図６Ｂ】
2019103059.tif 000015
【図７Ａ】
2019103059.tif 000016
【図７Ｂ】
2019103059.tif 000017
【図７Ｃ】
2019103059.tif 000018
【図７Ｄ】
2019103059.tif 000019
【図７Ｅ】
2019103059.tif 000020
【図８】
2019103059.tif 000021
【図９Ａ】
2019103059.tif 000022
【図９Ｂ】
2019103059.tif 000023
【図９Ｃ】
2019103059.tif 000024
【図１０Ａ】
2019103059.tif 000025
【図１０Ｂ】
2019103059.tif 000026
【図１１Ａ】
2019103059.tif 000027
【図１１Ｂ】
2019103059.tif 000028
【図１２Ａ】
2019103059.tif 000029
【図１２Ｂ】
2019103059.tif 000030
【図１２Ｃ】
2019103059.tif 000031
【図１２Ｄ】
2019103059.tif 000032
【図１２Ｅ】
2019103059.tif 000033
【図１２Ｆ】
2019103059.tif 000034